(57)【要約】【課題】物品管理時の管理者の操作負担や労力を低減し、利便性を向上する。【解決手段】リーダ２００は、読み取り可能に情報を保持した無線タグ回路素子Ｔo1，Ｔo2から、タグＩＤを実質的に非接触で読み取って取得し、これら取得したタグＩＤどうしを相互に関連付けた関連情報を形成し、この関連情報を対応するデータベースＤＢにアクセスし記憶させる。このようにリーダ２００側において関連情報を予め形成した後にデータベースＤＢへ送信することにより、それら２種類のタグＩＤを別途操作端末で編集したり加工したりして関連付ける必要がない。【選択図】  図１８
2007084247.tif 000002
【特許請求の範囲】
【請求項１】
読み取り可能に情報を保持した情報保持部から、当該情報保持部の保持部識別情報を実質的に非接触で読み取って取得する非接触情報取得手段と、
この非接触情報取得手段によって取得され第１対象物に対応する第１保持部識別情報と、前記非接触情報取得手段によって取得され第２対象物に対応する第２保持部識別情報とを、相互に関連付けた関連情報を形成する関連情報形成手段と、
この関連情報形成手段で形成した前記関連情報を、対応するデータベースにアクセスし記憶させるための信号を出力する登録信号出力手段と
を有することを特徴とする情報読み取り装置。
【請求項２】
請求項１記載の情報読み取り装置において、
前記非接触情報取得手段は、情報を記憶するＩＣ回路部及びこのＩＣ回路部に接続されたタグ側アンテナをそれぞれ備え前記第１及び第２対象物にそれぞれ関わる前記情報保持部としての第１及び第２無線タグ回路素子と無線通信により情報の送受信を行い、前記保持部識別情報としての当該第１及び第２無線タグ回路素子の第１及び第２タグ識別情報を取得するための無線通信手段であり、
前記関連情報形成手段は、前記無線通信手段によって取得された前記第１タグ識別情報と、前記無線通信手段によって取得された前記第２タグ識別情報とを、相互に関連付けた関連情報を形成する
ことを特徴とする情報読み取り装置。
【請求項３】
請求項２記載の情報読み取り装置において、
前記無線通信手段は、
前記第１対象物として位置特定対象となる位置特定物に対応する前記第１無線タグ回路素子より、前記第１タグ識別情報を取得し、
前記第２対象物として前記位置特定物の位置特定時の基準位置を与える位置基準物より、前記第２タグ識別情報を取得する
ことを特徴とする情報読み取り装置。
【請求項４】
請求項２又は３記載の情報読み取り装置において、
前記無線通信手段が前記第１及び第２無線タグ回路素子のうち一方の無線タグ回路素子より前記第１及び第２タグ識別情報のうち一方のタグ識別情報を取得した場合、
前記関連情報形成手段は、その取得時前後の所定時間範囲内に、前記無線通信手段が前記第１及び第２無線タグ回路素子のうち他方の無線タグ回路素子より取得した前記第１及び第２タグ識別情報のうち他方のタグ識別情報を、前記一方のタグ識別情報と相互に関連付けて前記関連情報を形成し、
前記登録信号出力手段は、その形成された関連情報を対応するデータベースにアクセスし記憶させるための信号を出力する
ことを特徴とする情報読み取り装置。
【請求項５】
請求項４記載の情報読み取り装置において、
前記無線通信手段が前記第２無線タグ回路素子より前記第２タグ識別情報を取得した場合、
前記関連情報形成手段は、その取得時前の所定時間範囲内に、前記無線通信手段が少なくとも１つの前記第１無線タグ回路素子より取得した前記第１タグ識別情報を、自動的に前記第２タグ識別情報とそれぞれ相互に関連付けて、前記関連情報を形成し、
前記登録信号出力手段は、その形成された関連情報を対応するデータベースにアクセスし記憶させるための信号を出力する
ことを特徴とする情報読み取り装置。
【請求項６】
請求項４記載の情報読み取り装置において、
前記関連情報形成手段による前記関連情報の形成を指示する形成指示手段を有し、
前記無線通信手段が少なくとも１つの前記第１無線タグ回路素子より前記第１タグ識別情報を取得した後、前記形成指示手段により前記関連情報の形成の指示入力があった場合には、
前記関連情報形成手段は、その指示入力前の所定時間範囲内に、前記無線通信手段が前記第２無線タグ回路素子より取得した前記第２タグ識別情報を、自動的に前記少なくとも１つの第１タグ識別情報とそれぞれ相互に関連付けて、前記関連情報を形成し、
前記登録信号出力手段は、その形成された関連情報を対応するデータベースにアクセスし記憶させるための信号を出力する
ことを特徴とする情報読み取り装置。
【請求項７】
請求項４記載の情報読み取り装置において、
前記無線通信手段が前記第１無線タグ回路素子より前記第１タグ識別情報を取得した場合には、
前記関連情報形成手段は、その取得前に、前記無線通信手段が前記第２無線タグ回路素子より取得した前記第２タグ識別情報を自動的に前記第１タグ識別情報と相互に関連付けて前記関連情報を形成し、
前記登録信号出力手段は、その形成された関連情報を対応するデータベースにアクセスし記憶させるための信号を出力する
ことを特徴とする情報読み取り装置。
【請求項８】
請求項２乃至４のいずれか１項記載の情報読み取り装置において、
前記関連情報形成手段で新たに前記関連情報が形成された場合、前記登録信号出力手段による前記データベースへの信号出力の前に前記データベースへアクセスし、前記関連情報に係る前記第１タグ識別情報に対して予め関連づけられ前記データベースに記憶されている現状第２タグ識別情報と、前記関連情報において前記第１タグ識別情報に対して新たに関連付けられた新規第２タグ識別情報とが合致しているかどうかを照合判断するための信号を出力する照合信号出力手段を有する
ことを特徴とする情報読み取り装置。
【請求項９】
請求項８記載の情報読み取り装置において、
前記登録信号出力手段は、
前記照合信号出力手段からの信号に基づき前記現状第２タグ識別情報と前記新規第２タグ識別情報とが合致していないと判断された場合に、前記新たに形成された関連情報を対応するデータベースにアクセスし記憶させるための信号を出力する
ことを特徴とする情報読み取り装置。
【請求項１０】
請求項２乃至９のいずれか１項記載の情報読み取り装置において、
前記第１タグ識別情報及び前記第２タグ識別情報は、当該種類の識別情報であること表す種別コード部を含むことを特徴とする情報読み取り装置。
【請求項１１】
読み取り可能に情報を保持した情報保持部から、当該情報保持部の保持部識別情報を実質的に非接触で読み取って取得する非接触情報取得手段を有する情報読み取り装置と、
この情報読み取り装置と有線又は無線の通信回線により接続され、所定の情報をデータベースに格納する記憶装置と
を備えた情報管理システムであって、
前記非接触情報取得手段によって取得され第１対象物に対応する第１保持部識別情報と、前記非接触情報取得手段によって取得され第２対象物に対応する第２保持部識別情報とを、相互に関連付けた関連情報を形成する関連情報形成手段を有し、
前記記憶装置は、前記関連情報形成手段で形成した前記関連情報を、前記データベースに記憶させる
ことを特徴とする情報管理システム。
【請求項１２】
請求項１１記載の情報管理システムにおいて、
前記情報読み取り装置の前記非接触情報取得手段は、情報を記憶するＩＣ回路部及びこのＩＣ回路部に接続されたタグ側アンテナをそれぞれ備え前記第１及び第２対象物にそれぞれ関わる前記情報保持部としての第１及び第２無線タグ回路素子と無線通信により情報の送受信を行い、前記保持部識別情報としての当該第１及び第２無線タグ回路素子の第１及び第２タグ識別情報を取得するための無線通信手段であり、
前記関連情報形成手段は、前記無線通信手段によって取得された前記第１タグ識別情報と、前記無線通信手段によって取得された前記第２タグ識別情報とを、相互に関連付けた前記関連情報を形成する
ことを特徴とする情報管理システム。
【請求項１３】
請求項１２記載の情報管理システムにおいて、
前記第１対象物は、位置特定対象となる位置特定物であり、
前記第２対象物は、前記位置特定物の位置特定時の基準位置を与える位置基準物であることを特徴とする情報管理システム。
【請求項１４】
請求項１３記載の情報管理システムにおいて、
前記位置基準物は、建造物又は建造物の特定の部位であり、
前記位置特定物は、前記建造物内に配置される可般物であることを特徴とする情報管理システム。
【請求項１５】
請求項１１乃至１４のいずれか１項記載の情報管理システムにおいて、
前記情報読み取り装置は、無線通信回線を介して前記記憶装置に接続されていることを特徴とする情報管理システム。
【請求項１６】
請求項１５記載の情報管理システムにおいて、
前記情報読み取り装置は、前記無線通信手段の通信態様に対し互いに排他的な通信態様の無線通信を介し、前記記憶装置に接続されていることを特徴とする情報管理システム。
【請求項１７】
請求項１１乃至１６のいずれか１項記載の情報管理システムにおいて、
前記無線タグ回路素子を備えたタグ媒体を搬送する搬送手段と、前記タグ媒体又はこれに貼り合わされる被印字媒体に所定の印字を行う印字手段と、前記搬送手段で搬送される前記無線タグ回路素子と無線通信により情報の送受信を行う送受信手段とを備え、印字済み無線タグラベルを作成するタグラベル作成装置を有し、
前記記憶装置を、前記タグラベル作成装置に設けたことを特徴とする情報管理システム。
【発明の詳細な説明】
【技術分野】
【０００１】
本発明は、読み取り対象物に備えられたバーコードや無線タグ回路素子等に保持された情報を読み取る情報読み取り装置及びこれを備えた情報管理システムに関するものである。
【背景技術】
【０００２】
物品管理を行う際に、管理対象の物品に情報保持部（バーコードや無線タグ等）を設け、その保持された情報を非接触で読み取る情報読み取り装置が、既に知られている。例えば、情報保持部として無線タグを設ける場合、ＲＦＩＤ（Ｒａｄｉｏ
Ｆｒｅｑｕｅｎｃｙ Ｉｄｅｎｔｉｆｉｃａｔｉｏｎ）システムと称される。
【０００３】
このシステムにおいては、例えばラベル状の無線タグに備えられた無線タグ回路素子が、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、既に様々な分野において実用が期待されている。
【０００４】
ここで、無線タグ回路素子のＩＣ回路部の記憶容量はそれほど大きくなく制限があることから、一般に、ＩＣ回路部には所定の識別情報（タグＩＤ）を記憶させておき、これに対応する対象物の物品情報（＝対象物情報）を（又はその一部を）別のデータベースに格納保持しておくことが多い。そして、例えば対象物に関わる無線タグ回路素子の識別情報をリーダにて読み取り、その読みとった識別情報に基づきデータベースを検索することにより、当該対象物に関わる対象物情報を適宜データベースより取得する。
【０００５】
このような従来技術の一例としては、例えば特許文献１に記載の物品管理システムがある。この物品管理システム（蔵書管理システム）は、位置特定対象となる図書それぞれに図書用無線タグ回路素子が設けられる一方、図書の移動管理を行うために書架の各棚に位置情報を与えるための棚用無線タグ回路素子が設けられている。そして、図書用無線タグ回路素子のタグＩＤ（第１タグ識別情報）と書籍情報との相関情報（ひも付け情報）、及び、棚用無線タグ回路素子のタグＩＤ（第２タグ識別情報）と棚情報との相関情報（ひも付け情報）を格納保持したデータベースが設けられ、操作端末（処理コンピュータ）がこのデータベースを検索可能に接続されている。
【０００６】
【特許文献１】特開２００５−８３４６号公報（段落番号００３７〜００４７）
【発明の開示】
【発明が解決しようとする課題】
【０００７】
上記従来技術においては、例えば所定期間ごとに各図書の移動、持ち出し等を検出して管理を行う際には、管理者は、携帯用の読み取り装置を用いて書架の各図書に設けられた図書用無線タグ回路素子の第１タグ識別情報を棚の一方側から他方側へと順次読み取るとともに、棚の端まで来たら上記棚用無線タグ回路素子の第２タグ識別情報を読み取り、これら２種類のタグ識別情報はともに無線通信を介して操作端末に送られる。その後、上記のようにして読み取り装置から送られてきた第１タグ識別情報と第２タグ識別情報とを、管理者が操作端末で適宜の操作を介してデータ編集や加工を行うことで関連づけ、これによって各図書の名称や内容等の書籍情報と当該図書の位置情報（棚情報）とが対応付けられて、データベースへ格納され、データ更新されるようになっている。
【０００８】
すなわち、管理者は、携帯用の読み取り装置で図書用無線タグ回路素子及び棚用無線タグ回路素子より識別情報を読み取った後、操作用端末においてそれら読み取った２種類の識別情報を関連付けるためのデータ編集加工作業を行わねばならなかった。このため、物品（図書）管理時の操作負担が煩雑で労力が大きく、利便性が低かった。
【０００９】
本発明は、物品管理時の管理者の操作負担や労力を低減し、利便性を向上できる情報読み取り装置及び情報管理システムを提供することにある。
【課題を解決するための手段】
【００１０】
上記目的を達成するために、第１の発明は、読み取り可能に情報を保持した情報保持部から、当該情報保持部の保持部識別情報を実質的に非接触で読み取って取得する非接触情報取得手段と、この非接触情報取得手段によって取得され第１対象物に対応する第１保持部識別情報と、前記非接触情報取得手段によって取得され第２対象物に対応する第２保持部識別情報とを、相互に関連付けた関連情報を形成する関連情報形成手段と、この関連情報形成手段で形成した前記関連情報を、対応するデータベースにアクセスし記憶させるための信号を出力する登録信号出力手段とを有することを特徴とする。
【００１１】
本願第１発明においては、非接触情報取得手段で第１保持部識別情報と第２保持部識別情報とを取得した後、これら第１及び第２保持部識別情報を関連情報形成手段で相互に関連付けて関連情報を形成し、登録信号出力手段より出力される信号に基づきその関連情報がデータベースに記憶される。これにより、第１及び第２対象物のうち例えば第２対象物を位置基準物としつつ第１対象物を当該位置基準物を基準とした位置特定物とし、それぞれに対応する第１及び第２保持部識別情報を関連付けることで、基準位置情報とこれに対する位置特定情報とをセットにしてデータベースへ格納することが可能となる。
【００１２】
このようにして、基準位置情報と位置特定情報とをセットにしてデータベースへ格納することにより、管理者は、特定の物品に対応する第１保持部識別情報が、データベース内にて関連情報によりどの第２保持部情報と関連付けられているかを検索するだけで、探したい特定の物品の存在場所を決定することができる。また、上記のように読み取り装置において第１保持部識別情報と第２保持部識別情報とを関連付けた関連情報を予め形成した後にデータベースへ送信することにより、受信したデータベース側でこれをそのまま記憶すれば足り、従来構造のようにそれら２種類の情報を別途操作端末で編集したり加工したりして関連付ける必要がない。この結果、管理者の物品管理時の操作負担や労力を低減でき、利便性を大幅に向上することができる。
【００１３】
第２発明は、上記第１発明において、前記非接触情報取得手段は、情報を記憶するＩＣ回路部及びこのＩＣ回路部に接続されたタグ側アンテナをそれぞれ備え前記第１及び第２対象物にそれぞれ関わる前記情報保持部としての第１及び第２無線タグ回路素子と無線通信により情報の送受信を行い、前記保持部識別情報としての当該第１及び第２無線タグ回路素子の第１及び第２タグ識別情報を取得するための無線通信手段であり、前記関連情報形成手段は、前記無線通信手段によって取得された前記第１タグ識別情報と、前記無線通信手段によって取得された前記第２タグ識別情報とを、相互に関連付けた関連情報を形成することを特徴とする。
【００１４】
本願第２発明においては、無線通信手段で第１タグ識別情報と第２タグ識別情報とを取得した後、これら第１及び第２タグ識別情報を関連情報形成手段で相互に関連付けて関連情報を形成し、登録信号出力手段より出力される信号に基づきその関連情報がデータベースに記憶される。これにより、第１及び第２対象物のうち例えば第２対象物を位置基準物としつつ第１対象物を当該位置基準物を基準とした位置特定物とし、それぞれに対応する第１及び第２無線タグ回路素子の第１及び第２タグ識別情報を関連付けることで、基準位置情報とこれに対する位置特定情報とをセットにしてデータベースへ格納することが可能となる。
【００１５】
このようにして、基準位置情報と位置特定情報とをセットにしてデータベースへ格納することにより、管理者は、特定の物品に対応する第１タグ識別情報が、データベース内にて関連情報によりどの第２タグ識別情報と関連付けられているかを検索するだけで、探したい特定の物品の存在場所を決定することができる。また、上記のように読み取り装置において第１タグ識別情報と第２タグ識別情報とを関連付けた関連情報を予め形成した後にデータベースへ送信することにより、受信したデータベース側でこれをそのまま記憶すれば足り、従来構造のようにそれら２種類の情報を別途操作端末で編集したり加工したりして関連付ける必要がない。この結果、管理者の物品管理時の操作負担や労力を低減でき、利便性を大幅に向上することができる。
【００１６】
第３発明は、上記第２発明において、前記無線通信手段は、前記第１対象物として位置特定対象となる位置特定物に対応する前記第１無線タグ回路素子より、前記第１タグ識別情報を取得し、前記第２対象物として前記位置特定物の位置特定時の基準位置を与える位置基準物より、前記第２タグ識別情報を取得することを特徴とする。
【００１７】
第２対象物を位置基準物としつつ第１対象物を当該位置基準物を基準とした位置特定物とし、それぞれに対応する第１及び第２タグ識別情報を関連付けることにより、基準位置情報と位置特定情報とをセットにしてデータベースへ格納することが可能となる。
【００１８】
第４発明は、上記第２又は第３発明において、前記無線通信手段が前記第１及び第２無線タグ回路素子のうち一方の無線タグ回路素子より前記第１及び第２タグ識別情報のうち一方のタグ識別情報を取得した場合、前記関連情報形成手段は、その取得時前後の所定時間範囲内に、前記無線通信手段が前記第１及び第２無線タグ回路素子のうち他方の無線タグ回路素子より取得した前記第１及び第２タグ識別情報のうち他方のタグ識別情報を、前記一方のタグ識別情報と相互に関連付けて前記関連情報を形成し、前記登録信号出力手段は、その形成された関連情報を対応するデータベースにアクセスし記憶させるための信号を出力することを特徴とする。
【００１９】
これにより、無線通信手段で第１タグ識別情報が取得された場合には例えばその前後に取得された第２タグ識別情報を、無線通信手段で第２タグ識別情報が取得された場合には例えばその前後に取得された第１タグ識別情報を、関連情報形成手段で相互に関連付けて関連情報を形成する。そして、この関連情報を登録信号出力手段から出力した信号に基づきデータベースに登録することにより、基準位置情報とこれに対する位置特定情報とをセットにしてデータベースへ格納する構成を比較的容易に実現できる。
【００２０】
第５発明は、上記第４発明において、前記無線通信手段が前記第２無線タグ回路素子より前記第２タグ識別情報を取得した場合、前記関連情報形成手段は、その取得時前の所定時間範囲内に、前記無線通信手段が少なくとも１つの前記第１無線タグ回路素子より取得した前記第１タグ識別情報を、自動的に前記第２タグ識別情報とそれぞれ相互に関連付けて、前記関連情報を形成し、前記登録信号出力手段は、その形成された関連情報を対応するデータベースにアクセスし記憶させるための信号を出力することを特徴とする。
【００２１】
これにより、無線通信手段で第２タグ識別情報が取得された場合にはその前所定時間範囲内に取得された第１タグ識別情報を、関連情報形成手段で自動的に関連付けて関連情報を形成し、この関連情報を登録信号出力手段から出力した信号に基づきデータベースに登録する。この結果、関連付け及び記憶指示のための手動操作を必要とすることなく、基準位置情報とこれに対する位置特定情報とをセットにしてデータベースへ格納することができる。
【００２２】
第６発明は、上記第４発明において、前記関連情報形成手段による前記関連情報の形成を指示する形成指示手段を有し、前記無線通信手段が少なくとも１つの前記第１無線タグ回路素子より前記第１タグ識別情報を取得した後、前記形成指示手段により前記関連情報の形成の指示入力があった場合には、前記関連情報形成手段は、その指示入力前の所定時間範囲内に、前記無線通信手段が前記第２無線タグ回路素子より取得した前記第２タグ識別情報を、自動的に前記少なくとも１つの第１タグ識別情報とそれぞれ相互に関連付けて、前記関連情報を形成し、前記登録信号出力手段は、その形成された関連情報を対応するデータベースにアクセスし記憶させるための信号を出力することを特徴とする。
【００２３】
これにより、無線通信手段で少なくとも１つの第１タグ識別情報が取得された場合には、形成指示手段での関連情報形成指示を待って、その前所定時間範囲内に取得された第２タグ識別情報を関連情報形成手段で自動的に関連付けて関連情報を形成し、この関連情報を登録信号出力手段から出力した信号に基づきデータベースに登録する。形成指示手段の指示を待ってから関連付け及び登録処理を実行するので、それらすべての処理を自動で行う場合に比べて、管理者の意図しない処理を誤って実行する畏れが生じるのを確実に防止できる。また、複数の第１タグ識別情報を１つの第２タグ識別情報と一括して関連付けることも可能となるので、基準位置情報とこれに対する複数の位置特定情報とをセットにしてデータベースへ格納することができる。
【００２４】
第７発明は、上記第４発明において、前記無線通信手段が前記第１無線タグ回路素子より前記第１タグ識別情報を取得した場合には、前記関連情報形成手段は、その取得前に、前記無線通信手段が前記第２無線タグ回路素子より取得した前記第２タグ識別情報を自動的に前記第１タグ識別情報と相互に関連付けて前記関連情報を形成し、前記登録信号出力手段は、その形成された関連情報を対応するデータベースにアクセスし記憶させるための信号を出力することを特徴とする。
【００２５】
これにより、無線通信手段で第１タグ識別情報が取得された場合にはその前所定時間範囲内に取得された第２タグ識別情報を、関連情報形成手段で自動的に関連付けて関連情報を形成し、この関連情報を登録信号出力手段から出力した信号に基づきデータベースに登録する。この結果、関連付け及び記憶指示のための手動操作を必要とすることなく、基準位置情報とこれに対する位置特定情報とをセットにしてデータベースへ格納することができる。
【００２６】
第８発明は、上記第２乃至第４発明のいずれかにおいて、前記関連情報形成手段で新たに前記関連情報が形成された場合、前記登録信号出力手段による前記データベースへの信号出力の前に前記データベースへアクセスし、前記関連情報に係る前記第１タグ識別情報に対して予め関連づけられ前記データベースに記憶されている現状第２タグ識別情報と、前記関連情報において前記第１タグ識別情報に対して新たに関連付けられた新規第２タグ識別情報とが合致しているかどうかを照合判断するための信号を出力する照合信号出力手段を有することを特徴とする。
【００２７】
データベースにアクセスする前に、現状第２タグ識別情報と新規第２タグ識別情報とが合致しているかどうかを照合判断することにより、合致している場合には同じ登録を二重に行わず合致していない場合にのみ更新登録を行う等が可能となる。
【００２８】
第９発明は、上記第８発明において、前記登録信号出力手段は、前記照合信号出力手段からの信号に基づき前記現状第２タグ識別情報と前記新規第２タグ識別情報とが合致していないと判断された場合に、前記新たに形成された関連情報を対応するデータベースにアクセスし記憶させるための信号を出力することを特徴とする。
【００２９】
照合結果に基づき、合致していない場合にのみ更新登録を行うことにより、合致している場合には同じ登録を二重に行わないようにすることができ、データ処理効率の向上を図ることができる。
【００３０】
第１０発明は、上記第２乃至第９発明のいずれかにおいて、前記第１タグ識別情報及び前記第２タグ識別情報は、当該種類の識別情報であること表す種別コード部を含むことを特徴とする。
【００３１】
これにより、無線通信手段で取得したタグ識別情報を、当該種別コード部によって、第１タグ識別情報であるか第２タグ識別情報であるかを容易に区別して、以降の処理を円滑に行うことができる。
【００３２】
上記目的を達成するために、第１１発明は、読み取り可能に情報を保持した情報保持部から、当該情報保持部の保持部識別情報を実質的に非接触で読み取って取得する非接触情報取得手段を有する情報読み取り装置と、この情報読み取り装置と有線又は無線の通信回線により接続され、所定の情報をデータベースに格納する記憶装置とを備えた情報管理システムであって、前記非接触情報取得手段によって取得され第１対象物に対応する第１保持部識別情報と、前記非接触情報取得手段によって取得され第２対象物に対応する第２保持部識別情報とを、相互に関連付けた関連情報を形成する関連情報形成手段を有し、前記記憶装置は、前記関連情報形成手段で形成した前記関連情報を、前記データベースに記憶させることを特徴とする。
【００３３】
本願第１１発明においては、情報読み取り装置の非接触情報取得手段で第１保持部識別情報と第２保持部識別情報とを取得した後、これら第１及び第２保持部識別情報を関連情報形成手段で相互に関連付けて関連情報を形成し、記憶装置によってその関連情報がデータベースに記憶される。これにより、第１及び第２対象物のうち例えば第２対象物を位置基準物としつつ第１対象物を当該位置基準物を基準とした位置特定物とし、それぞれに対応する第１及び第２保持部識別情報を関連付けることで、基準位置情報とこれに対する位置特定情報とをセットにしてデータベースへ格納することが可能となる。
【００３４】
このようにして、基準位置情報と位置特定情報とをセットにしてデータベースへ格納することにより、管理者は、特定の物品に対応する第１保持部識別情報が、データベース内にて関連情報によりどの第２保持部識別情報と関連付けられているかを検索するだけで、探したい特定の物品の存在場所を決定することができる。また、上記のように関連情報形成手段において第１保持部識別情報と第２保持部識別情報とを関連付けた関連情報を予め形成した後に記憶装置へ送信してデータベースへ記憶させることにより、受信したデータベース側でこれをそのまま記憶すれば足り、従来構造のようにそれら２種類の情報を別途操作端末で編集したり加工したりして関連付ける必要がない。この結果、管理者の物品管理時の操作負担や労力を低減でき、利便性を大幅に向上することができる。
【００３５】
第１２発明は、上記第１１発明において、前記情報読み取り装置の前記非接触情報取得手段は、情報を記憶するＩＣ回路部及びこのＩＣ回路部に接続されたタグ側アンテナをそれぞれ備え前記第１及び第２対象物にそれぞれ関わる前記情報保持部としての第１及び第２無線タグ回路素子と無線通信により情報の送受信を行い、前記保持部識別情報としての当該第１及び第２無線タグ回路素子の第１及び第２タグ識別情報を取得するための無線通信手段であり、前記関連情報形成手段は、前記無線通信手段によって取得された前記第１タグ識別情報と、前記無線通信手段によって取得された前記第２タグ識別情報とを、相互に関連付けた前記関連情報を形成することを特徴とする。
【００３６】
本願第１２発明においては、情報読み取り装置の無線通信手段で第１タグ識別情報と第２タグ識別情報とを取得した後、これら第１及び第２タグ識別情報を関連情報形成手段で相互に関連付けて関連情報を形成し、記憶装置によってその関連情報がデータベースに記憶される。これにより、第１及び第２対象物のうち例えば第２対象物を位置基準物としつつ第１対象物を当該位置基準物を基準とした位置特定物とし、それぞれに対応する第１及び第２無線タグ回路素子の第１及び第２タグ識別情報を関連付けることで、基準位置情報とこれに対する位置特定情報とをセットにしてデータベースへ格納することが可能となる。
【００３７】
このようにして、基準位置情報と位置特定情報とをセットにしてデータベースへ格納することにより、管理者は、特定の物品に対応する第１タグ識別情報が、データベース内にて関連情報によりどの第２タグ識別情報と関連付けられているかを検索するだけで、探したい特定の物品の存在場所を決定することができる。また、上記のように関連情報形成手段において第１タグ識別情報と第２タグ識別情報とを関連付けた関連情報を予め形成した後に記憶装置へ送信してデータベースへ記憶させることにより、受信したデータベース側でこれをそのまま記憶すれば足り、従来構造のようにそれら２種類の情報を別途操作端末で編集したり加工したりして関連付ける必要がない。この結果、管理者の物品管理時の操作負担や労力を低減でき、利便性を大幅に向上することができる。
【００３８】
第１３発明は、上記第１２発明において、前記第１対象物は、位置特定対象となる位置特定物であり、前記第２対象物は、前記位置特定物の位置特定時の基準位置を与える位置基準物であることを特徴とする。
【００３９】
第２対象物を位置基準物としつつ第１対象物を当該位置基準物を基準とした位置特定物とし、それぞれに対応する第１及び第２タグ識別情報を関連付けることにより、基準位置情報と位置特定情報とをセットにして記憶装置でデータベースへ格納することが可能となる。
【００４０】
第１４発明は、上記第１３発明において、前記位置基準物は、建造物又は建造物の特定の部位であり、前記位置特定物は、前記建造物内に配置される可般物であることを特徴とする。
【００４１】
これにより、建造物内に配置される可般物の現在の位置を、建造物又は建造物の特定の部位を基準として検出することができる。
【００４２】
第１５発明は、上記第１１乃至第１４発明のいずれかにおいて、前記情報読み取り装置は、無線通信回線を介して前記記憶装置に接続されていることを特徴とする。
【００４３】
これにより、有線通信を介する場合のような装置設置場所や設置範囲の制限なく、比較的広い範囲で自由自在に情報読み取り装置を用いてデータベースにアクセスすることができる。
【００４４】
第１６発明は、上記第１５発明において、前記情報読み取り装置は、前記無線通信手段の通信態様に対し互いに排他的な通信態様の無線通信を介し、前記記憶装置に接続されていることを特徴とする。
【００４５】
これにより、互いに無線通信時に悪影響を及ぼすことなく、信頼性の高い無線情報通信を確保することができる。
【００４６】
第１７発明は、上記第１１乃至第１６発明のいずれかにおいて、前記無線タグ回路素子を備えたタグ媒体を搬送する搬送手段と、前記タグ媒体又はこれに貼り合わされる被印字媒体に所定の印字を行う印字手段と、前記搬送手段で搬送される前記無線タグ回路素子と無線通信により情報の送受信を行う送受信手段とを備え、印字済み無線タグラベルを作成するタグラベル作成装置を有し、前記記憶装置を、前記タグラベル作成装置に設けたことを特徴とする。
【００４７】
タグ媒体の無線タグ回路素子に情報読み取り又は書き込みを行って印字済み無線タグラベルを作成するタグラベル作成装置にデータベース記憶処理機能を持たせて、基準位置情報と位置特定情報とをセットにしてデータベースへ格納することが可能となる。
【発明の効果】
【００４８】
本発明によれば、物品管理時の管理者の操作負担や労力を低減し、利便性を向上することができる。
【発明を実施するための最良の形態】
【００４９】
以下、本発明の一実施の形態を図面を参照しつつ説明する。本実施形態は、管理対象の物品に対し情報保持部としての無線タグ回路素子を設け、その無線タグ回路素子に記憶された情報を読み取る読み取り装置（無線タグ情報読み取り装置）に本発明を適用した場合の実施形態である。
【００５０】
図１は、本実施形態の無線タグ情報読み取り装置（リーダ）を有する無線タグ情報通信システムを表すシステム構成図である。
【００５１】
図１に示す無線タグ情報通信システム１においては、無線タグＴ1，Ｔ2に備えられた無線タグ回路素子Ｔo1，Ｔo2（情報保持部）の情報（詳細は後述）にアクセスする（この例では情報読み取りを行う。但し書き込み可能であってもよい）リーダ２００（携帯操作端末、情報読み取り装置）と、このリーダ２００と無線ＬＡＮ（Local
Area Network）を介し無線通信可能な基地局２０４と、この基地局２０４と無線（あるいは有線でもよい）による通信回線２０６を介し接続されデータベースＤＢを備え当該データベースＤＢのデータ記憶処理・読み出し処理等を行うサーバ２０７（記憶装置）とから構成されている。
【００５２】
無線タグＴ1，Ｔ2は、アンテナ１５１（タグ側アンテナ）とＩＣ回路部１５０とを備えた上記無線タグ回路素子Ｔo1，Ｔo2を有しており、対応する対象物に対して添付、貼り付け、同梱等、何らかの形で関連づけて取り扱われるようになっている。そのうち第１無線タグ回路素子Ｔoを備えた無線タグＴ1は上記対象物（第１対象物）として例えば書類、備品、資材、設備、機械その他可般物等の位置特定対象となる物品（位置特定物）に関連づけて取り扱われ、第２無線タグ回路素子Ｔo2を備えた無線タグＴ2は上記対象物（第２対象物）として部屋、倉庫等の建造物またはその特定の部位、自動車、人体やその付属物等（位置基準物）に関連づけて取り扱われるようになっている。
【００５３】
リーダ２００は、無線タグ回路素子Ｔo1，Ｔo2の上記アンテナ１５１との間で無線通信により信号の授受を行うアンテナ（装置側アンテナ）１０と、このアンテナ１０を介し上記無線タグ回路素子Ｔo1，Ｔo2のＩＣ回路部１５０へアクセスする（読み取り又は書き込み可能）とともに、無線タグ回路素子Ｔo1，Ｔo2から読み出された信号を処理する高周波回路２０１と、基地局２０４のアンテナ２０５を介し無線ＬＡＮによる通信を行うための無線ＬＡＮ通信部２０３と、高周波回路２０１及び無線ＬＡＮ通信部２０３と接続されそれらの制御を行う制御回路２０２とを有する。
【００５４】
無線タグ回路素子Ｔo1，Ｔo2は、固有の（但し書き換え可能でもよい）識別情報（保持部識別情報）としてのタグＩＤ（第１タグ識別情報及び第２タグ識別情報）をそれぞれ記憶保持している。なおこのとき、タグＩＤには、無線タグ回路素子Ｔo1の第１タグ識別情報であるか、無線タグ回路素子Ｔo2の第２タグ識別情報であるかを表す、種別コード部を含むようにしても良い。これによりこれらタグ識別情報を当該種別コード部によって、第１タグ識別情報であるか第２タグ識別情報であるかを容易に区別できるので以降の処理を円滑に行うことができる。そして、制御回路２０２はこのタグＩＤによって上記サーバ２０７に問い合わせを行うことで、サーバ２０７のデータベースＤＢに予め格納保持された、当該対象物に関する種々の情報（＝対象物情報等）を上記サーバ２０７から読み込めるようになっている。また制御回路２０２がこのタグＩＤを用いて上記サーバ２０７のデータベースＤＢ内に情報を新規に書き込んだり、既に格納されている情報を上書き更新することも可能である（詳細は後述）。
【００５５】
図２は、本実施形態のリーダ２００の全体概略構造を表す正面図である。図２において、このリーダ２００は、筐体４と、この筐体４の上部（図２中手前側）の大部分を占めるように配設された表示部５（表示手段）と、筐体４のうち表示部５の上側に配設された音声報知手段７（例えばブザー、アラーム、チャイムスピーカ等）とを備えている。
【００５６】
表示部５の下側には、操作手段の一部を構成する機械式（この例ではスライダータイプであるが、その他適宜のキー、ボタン、スイッチ、パッド等であってもよい）の操作部６が設けられている。またこの例では、後述するように、表示部５が公知のタッチパネルとして構成され、操作手段としての機能の大部分がこのタッチパネルに表示される各種ボタン（後述の図６等参照）で行えるようになっている。これらタッチパネルのボタン等と操作部６とによって、表示や探索等に係わる種々の操作入力が行えるようになっている（詳細は後述）。
【００５７】
なお、筐体４には、上記無線タグ回路素子Ｔo1，Ｔo2への信号を送信及び受信する上記アンテナ１０（装置側アンテナ）が備えられている。また、無線ＬＡＮによる通信を行う上記無線ＬＡＮ通信部２０３のアンテナ２０３ａが備えられている。
【００５８】
図３は、上記リーダ２００の検索（探索）対象である対象物に関連して取り扱われる無線タグＴ1，Ｔ2に備えられた上記無線タグ回路素子Ｔo1，Ｔo2の機能的構成の一例を表すブロック図である。
【００５９】
図３において、無線タグ回路素子Ｔo1，Ｔo2は、前述したように、リーダ２００側のアンテナ１０とＵＨＦ帯等の高周波を用いて非接触で信号の送受信を行うアンテナ１５１(タグ側アンテナ)と、このアンテナ１５１に接続されたＩＣ回路部１５０とを有している。
【００６０】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔo1，Ｔo2の作動を制御するための制御部１５７とを備えている。
【００６１】
変復調部１５６は、アンテナ１５１により受信された上記リーダ２００のアンテナ１０からの通信信号の復調を行うと共に、上記制御部１５７からの返信信号に基づき、アンテナ１５１が受信した搬送波を変調し、アンテナ１５１より反射波として再送信する。
【００６２】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００６３】
クロック抽出部１５４は受信した信号からクロック成分を抽出して制御部１５７にクロックを抽出するものであり、受信した信号のクロック成分の速度に対応したクロックを制御部１５７に供給する。
【００６４】
図４は、上記リーダ２００の制御系の構成を表す機能ブロック図である。
【００６５】
図４において、上記アンテナ１０を介し上記無線タグ回路素子Ｔo1，Ｔo2のＩＣ回路部１５０の情報(タグＩＤを含む無線タグ情報)へアクセスする（読み取り又は書き込みを行う）ための上記高周波回路２０１と、無線タグ回路素子Ｔo1，Ｔo2のＩＣ回路部１５０から読み出された信号を処理して情報を読み出すとともに無線タグ回路素子Ｔo1，Ｔo2のＩＣ回路部１５０へアクセスするためのアクセス情報を生成する機能を含み、リーダ２００全体の動作を制御するための上記制御回路２０２とを有する。
【００６６】
高周波回路２０１は、アンテナ１０を介し無線タグ回路素子Ｔo1，Ｔo2に対して信号を送信する送信部２１２と、アンテナ１０により受信された無線タグ回路素子Ｔo1，Ｔo2からの反射波を入力する受信部２１３と、送受分離器２１４とから構成される。
【００６７】
送信部２１２は、無線タグ回路素子Ｔo1，Ｔo2のＩＣ回路部１５０の無線タグ情報にアクセスする(読み取り／書き込みを行う)ための搬送波を発生させる水晶振動子２１５Ａ、ＰＬＬ（Phase
Locked Loop）２１５Ｂ、及びＶＣＯ（Voltage Controlled Oscillator）２１５Ｃと、上記制御回路２０２から供給される信号に基づいて上記発生させられた搬送波を変調（この例では制御回路２０２からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路２０２からの「ＴＸ＿ＰＷＲ」信号によって増幅率を決定される増幅）する可変送信アンプ２１７とを備えている。そして、上記発生される搬送波は、例えばＵＨＦ帯又はマイクロ波帯の周波数を用いており、上記送信アンプ２１７の出力は、送受分離器２１４を介し送信アンテナ１０に伝達されて無線タグ回路素子Ｔo1，Ｔo2のＩＣ回路部１５０に供給される。なお、無線タグ情報は上記のように変調した信号に限られず、単なる搬送波のみの場合もある。
【００６８】
受信部２１３は、アンテナ１０で受信された無線タグ回路素子Ｔo1，Ｔo2からの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ１０で受信された無線タグ回路素子Ｔo1，Ｔo2からの反射波と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路２０２に入力されて処理される。
【００６９】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」が制御回路２０２に入力されるようになっている。このようにして、本実施形態のリーダ２００では、Ｉ−Ｑ直交復調によって無線タグ回路素子Ｔo1，Ｔo2からの反射波の復調が行われる。
【００７０】
無線ＬＡＮ通信部２０３は、入出力インターフェイス（図示せず）を介し制御回路２０２に接続されている。
【００７１】
制御回路２０２は、上記無線ＬＡＮ通信部２０３側の無線通信と干渉せず互いにそれぞれ排他的に無線通信を行えるように、無線タグ回路素子Ｔo1，Ｔo2との通信用と基地局２０４のアンテナ２０５との通信用で異なる通信態様とする（例えばプロトコルや周波数等を異ならせる）ようになっている。プロトコルを異ならせる場合は、当該プロトコルに対応した上記高周波回路送信部２１２への増幅制御信号及び変調制御信号を出力するとともに、上記高周波回路受信部２１３からの受信信号を入力した後上記プロトコルに基づいて無線タグ回路素子Ｔo1，Ｔo2から読み出された信号を処理するための所定の演算処理を行う（なお後述のように無線タグ回路素子Ｔo1への通信と無線タグ回路素子Ｔo2への通信とにおいてもプロトコルや周波数等通信態様を互いに異ならせても良い）。また制御回路２０２は、操作部６等の操作手段からの操作信号を入力するとともに、表示部５への表示制御信号、音声報知手段７への報知信号等を出力する。
【００７２】
図５は、この制御回路２０２の詳細機能を表す機能ブロック図である。
【００７３】
図５において、制御回路２０２は、いわゆるマイクロコンピュータであり、中央演算処理装置であるＣＰＵ２０２Ａ、ＲＯＭ２０２Ｂ、ＲＡＭ２０２Ｃ、高周波回路２０１との信号送受を行う回路制御部２０２Ｄ等から構成され、ＲＡＭ２０２Ｃの一時記憶機能を利用しつつＲＯＭ２０２Ｂに予め記憶されたプログラムに従って信号処理を行うようになっている。またこの制御回路２０２は、無線ＬＡＮ通信部２０３とアンテナ２０５との無線ＬＡＮ通信及び基地局２０４を介し通信回線２０６（前述の図１参照）に接続されており、この通信回線２０６に接続された前述のサーバ２０７や、さらに他の端末、コンピュータ、及びサーバ等との間で情報のやりとりが可能となっている。また、不揮発性メモリ（Ｆｌａｓｈ
ＲＯＭ）２０２Ｅを備えていても良い。なお、前述のサーバ２０７についてもＣＰＵ、ＲＯＭ、及びＲＡＭ等から構成されている。
【００７４】
以上において、本実施形態の特徴は、主としてリーダ２００の表示部５に表示される各種ボタンの操作によって、上記書類、備品、資材、設備、機械その他可般物等の位置特定対象となる物品（位置特定物）に関連づけられた無線タグ（以下、適宜「物品タグ」という）Ｔ1の第１無線タグ回路素子Ｔo1のタグＩＤ（第１タグ識別情報）を読み取り、さらに上記部屋、倉庫等の建造物またはその特定の部位、自動車、人体やその付属物等（位置基準物）に関連づけられた無線タグ（以下、適宜、「場所タグ」という）Ｔ2の第２無線タグ回路素子Ｔo2のタグＩＤ（第２タグ識別情報）を読み取り、その後これら２つのタグＩＤを関連づけた情報（関連情報）を生成して、無線ＬＡＮを介しサーバ２０７のデータベースＤＢにアクセスして格納記憶することにある。以下、その詳細手順を、タッチパネル方式の上記表示部５における表示画面の例を用いながら順を追って説明する。
【００７５】
なお、以降各画面において、例えば制御回路２０２のＲＯＭ２０２Ｂに上記プログラムとともに（あるいはプログラムとは別個に）各画面表示態様を実行する基礎となる表示テンプレートファイルが予め用意されており、管理者による各画面における各種操作ボタンの操作（又は電源投入操作や操作部６の操作）によって対応する操作信号が制御回路２０２のＣＰＵ２０２Ａに入力されると、上記表示テンプレートファイルから対応する表示テンプレートが抽出選択されてこれに対応する表示制御信号が表示部５へ出力され、これによって表示部５に対応する表示（各種テキスト・数値表示、反転を含む着色・拡大・飾り表示、データベースＤＢのデータの抽出・リスト表示、次の画面への遷移）等が行われるようになっている（詳細は後述）。
【００７６】
図６は、本実施形態のリーダ２００の電源投入後に表示部５に表示される初期画面１０１を表す図である。図６において、この初期画面１０１には、データベースＤＢの検索を実行する（詳細は後述）ための「Ｓｅａｒｃｈ」ボタン１０１Ａと、上記第１及び第２タグ識別情報を読み取り物品等の上記位置特定物の位置特定を行う（詳細は後述）ための「ＵｐｄａｔｅＬｏｃａｔｉｏｎ」ボタン１０１Ｂと、管理者が予め設定可能な各種設定要素（例えばサーバＩＰアドレスやタイムアウト時間の長さ等）を設定するための「Ｓｅｔｔｉｎｇ」ボタン１０１Ｃとが設けられている。以下、上記の位置特定操作とデータベース検索操作とに分けて、順を追って説明する。
【００７７】
（１）位置特定操作
管理者が自らの指又は適宜の操作具（ペンや鉛筆等の筆記具も可。以下同様）により「ＵｐｄａｔｅＬｏｃａｔｉｏｎ」ボタン１０１Ｂを操作すると、次の図７に示す物品タグ読み取り指示画面１１１へ移行する。
【００７８】
図７は、上記「ＵｐｄａｔｅＬｏｃａｔｉｏｎ」ボタン１０１Ｂを操作することにより表示部５に表示される物品タグ読み取り指示画面１１１を表す図である。図７において、この画面１１１には、通信可能範囲にある物品タグＴ1の無線タグ回路素子Ｔo1の探索を開始するための「Ｓｔａｒｔ」ボタン１１１Ｂが設けられている。
【００７９】
管理者が上記「Ｓｔａｒｔ」ボタン１１１Ｂを操作すると、図８に示すように物品タグＴ1の無線タグ回路素子Ｔo1の探索実行中「ＳｃａｎｎｉｎｇＩｔｅｍＴａｇ」の状態となる。なお、さらに操作の簡略性を向上するために、図６に示す画面１０１において「ＵｐｄａｔｅＬｏｃａｔｉｏｎ」ボタン１０１Ｂを操作すると、図７に移行せずただちに図８に示す状態へ移行するようにしてもよい。
【００８０】
図８において、前述の「Ｓｔａｒｔ」ボタン１１１Ｂが操作不能となるとともに、無線タグ回路素子の探索停止指示のための「Ｓｔｏｐ」ボタン１１１Ｃが操作可能に出現する。また併せて、ＣＰＵ２０２Ａの制御に基づき、回路制御部２０２Ｄを介し高周波回路２０１にてタグＩＤを特定しない（但し物品タグＴ1の無線タグ回路素子Ｔo1である旨の識別部分は特定しても良い）無線タグ回路素子Ｔo1への情報読み取り信号が生成されてアンテナ１０を介し通信可能範囲内に送信放射され、当該タグＩＤを備えた探索対象の無線タグ回路素子Ｔo1の探索が実行される（詳細は後述）。
【００８１】
探索対象の無線タグ回路素子Ｔo1から上記タグＩＤを含む応答信号がアンテナ１０で受信され、高周波回路２０１及び回路制御部２０２Ｄを介し当該タグＩＤがＣＰＵ２０２Ａにて取得されたら（＝探索対象無線タグ回路素子Ｔo1が見つかったら）、ＣＰＵ２０２Ａではその取得に対応し、そのタグＩＤに対応した問い合わせ信号（問い合わせコマンド）が生成されて無線ＬＡＮ通信部２０３を介し無線通信にてアンテナ２０５へ出力され、さらに基地局２０４から通信回線２０６を介してサーバ２０７に入力される。図９（ａ）はこのときの問い合わせ信号の構成を概念的に表した図であり、パケット種類（この例では「タグ情報要求」）を表すパケット表示部と上記タグＩＤとを備えている（図９（ｂ）については後述）。
【００８２】
図１０は、上記対象物（位置特定物）としての書類、備品、資材、設備、機械その他可般物等の物品に関して、上記データベースＤＢ内において記憶されている対象物情報データの一例を概念的に表す図である。図１０において、データベースＤＢには、上記物品（Ｉｔｅｍ、この例では前述のように法律書類）の名称（物識別情報）と、これに関連づけられている上記第１無線タグ回路素子Ｔo1の上記タグＩＤ（第１タグ識別情報、ＩｔｅｍＴａｇＩＤ）とが、予めそれぞれ対応づけられた相関情報の形で格納されている。
【００８３】
上記サーバ２０７は、上記問い合わせ信号に含まれる上記タグＩＤを基に、上記図１０に例示したようにデータベースＤＢ内に格納されている全データ（ファイル）の中から当該タグＩＤに該当するものを抽出し、その抽出したデータ情報（物品名称等）を上記とは逆に通信回線２０６を介して基地局２０４へと出力する。この信号はさらにアンテナ２０５より無線通信にて無線ＬＡＮ通信部２０３へ出力され、ＣＰＵ２０２Ａに入力される。上記図９（ｂ）はこのときのデータ情報信号の構成を概念的に表した図であり、パケット種類（この例では「タグ情報回答」）を表すパケット表示部と、問い合わせされた当該タグＩＤの登録の有無を表す有無情報と、当該タグＩＤに係わる物品名称（後述の無線タグ回路素子Ｔo2の場合は場所名称）とを備えている。図９（ｂ）では有無情報と名称のみを返すようになっているが、それ以外にもタグ情報要求のＩＤに関連付けられたデータを加えても良い。例えば、タグ情報要求で物品タグＩＤが指定された場合、物品名称に加えて物品の現在位置の場所名称を返すようにしても良い。
【００８４】
ＣＰＵ２０２Ａではその入力した信号に対応した表示制御信号を生成し、これを表示部５へと出力する。この結果、表示部５は、次の図１１に示す場所タグ読み取り指示画面１１３へ移行する。
【００８５】
図１１は、上述のようにして表示部５に表示される場所タグ読み取り指示画面（最新位置情報取得画面）１１３を表す図である。図１１において、この画面１１３には、上記した現在取得されているデータ内容（この例では、上記無線タグ回路素子Ｔo1のタグＩＤより取得された物品名称「ＬｅｇａｌＦｉｌｅＮｏ．９」のみが表示され、当該物品の配置場所については情報未取得なので未表示となっている。図９（ｂ）で当該物品の配置場所の名称も回答するようにしていれば、現在の場所も表示される。））を表示する現在情報表示部１１３Ａと、通信可能範囲にある場所タグＴ2の無線タグ回路素子Ｔo2の探索を開始するための「Ｓｔａｒｔ」ボタン１１３Ｂが設けられている。
【００８６】
管理者が上記「Ｓｔａｒｔ」ボタン１１３Ｂを操作すると、図１２に示すように場所タグＴ2の無線タグ回路素子Ｔo2の探索実行中「ＳｃａｎｎｉｎｇＬｏｃａｔｉｏｎＴａｇ」の状態となる。なお、さらに操作の簡略性を向上するために、前述の探索対象の無線タグ回路素子Ｔo1からタグＩＤが取得されたら、図１１に移行せずただちに図１２に示す状態へ移行するようにしてもよい。
【００８７】
図１２において、前述の「Ｓｔａｒｔ」ボタン１１３Ｂが操作不能となるとともに、無線タグ回路素子の探索停止指示のための「Ｓｔｏｐ」ボタン１１３Ｃが操作可能に出現する。また併せて、ＣＰＵ２０２Ａの制御に基づき、回路制御部２０２Ｄを介し高周波回路２０１にてタグＩＤを特定しない（但し場所タグＴ2の無線タグ回路素子Ｔo2である旨の識別部分は特定しても良い）無線タグ回路素子Ｔo2への情報読み取り信号が生成されてアンテナ１０を介し通信可能範囲内に送信放射され、当該タグＩＤを備えた探索対象の無線タグ回路素子Ｔo2の探索が実行される（詳細は後述）。
【００８８】
探索対象の無線タグ回路素子Ｔo2から上記タグＩＤを含む応答信号がアンテナ１０で受信され、高周波回路２０１及び回路制御部２０２Ｄを介し当該タグＩＤがＣＰＵ２０２Ａにて取得されたら（＝探索対象無線タグ回路素子Ｔo2が見つかったら）、ＣＰＵ２０２Ａではその取得に対応し、そのタグＩＤに対応した問い合わせ信号（問い合わせコマンド）が生成されて無線ＬＡＮ通信部２０３を介し無線通信にてアンテナ２０５へ出力され、さらに基地局２０４から通信回線２０６を介してサーバ２０７に入力される。
【００８９】
図１３は、上記対象物（位置基準物）としての部屋、倉庫等の建造物またはその特定の部位、自動車、人体やその付属物等に関して、上記データベースＤＢ内において記憶されている対象物情報データの一例を概念的に表す図である。図１３において、データベースＤＢには、上記場所（Ｌｏｃａｔｉｏｎ、この例では前述のように所定階の本棚）の名称（場所識別情報）と、これに関連づけられている上記無線タグ回路素子Ｔo2の上記タグＩＤ（第２タグ識別情報、ＬｏｃａｔｉｏｎＴａｇＩＤ）とが、予めそれぞれ対応づけられた相関情報の形で格納されている。
【００９０】
上記サーバ２０７は、上記問い合わせ信号に含まれる上記タグＩＤを基に、上記図１３に例示したようにデータベースＤＢ内に格納されている全データ（ファイル）の中から当該タグＩＤに該当するものを抽出し、その抽出したデータ情報（場所名称等）を上記とは逆に通信回線２０６を介して基地局２０４へと出力する。この信号はさらにアンテナ２０５より無線通信にて無線ＬＡＮ通信部２０３へ出力され、ＣＰＵ２０２Ａに入力される。ＣＰＵ２０２Ａではその入力した信号に対応した表示制御信号を生成し、これを表示部５へと出力する。この結果、表示部５は、次の図１４に示すデータベース登録指示画面（最新状態確認画面）１１５へ移行する。
【００９１】
図１４は、上述のようにして表示部５に表示される登録指示画面（最新状態確認画面）１１５を表す図である。図１４において、この画面１１５には、物品名称（この例では前述したように「ＬｅｇａｌＦｉｌｅＮｏ．９」）を表示する物品名称表示部１１５Ａと、上記のようにして無線タグ回路素子Ｔo2のタグＩＤより取得された場所名称（この例では前述したように「３Ｆ  Ｂｏｏｋｓｈｅｌｆ  Ｎｏ．４」）を表示する（最新）場所名称表示部１１５Ｃと、データベースＤＢのデータ更新を指示するための「Ｙｅｓ」ボタン１１５Ｄと、データ更新を行わず図６に示した初期画面１０１に戻るための「Ｎｏ」ボタン１１５Ｅとが設けられている。なお、物品名称表示部１１５Ａと（最新）場所名称表示部１１５Ｃとの間には（現在）場所名称表示部１１５Ｂが設けられており、（後述するように）既にデータベースＤＢにおいて物品名称と場所名称とが関連づけられて登録されている（図１７参照）場合には、現在登録されている場所名称がこの表示部１１５Ｂに表示される。
【００９２】
管理者が上記「Ｙｅｓ」ボタン１１５Ｄを操作すると、次の図１５に示すデータベース更新完了画面１１６へ移行する。
【００９３】
図１５は、上記「Ｙｅｓ」ボタン１１５Ｄを操作することにより表示部５に表示されるデータベース更新完了画面１１６を表す図である。図１５において、この画面１１６には、前述の物品名称表示部１１５Ａ及び（最新）場所名称表示部１１５Ｃと同様の物品名称表示部１１６Ａ及び（最新）場所名称表示部１１６Ｃと、処理を停止させ初期画面１０１に戻るための「Ｑｕｉｔ」ボタン１１６Ｆとが設けられている。
【００９４】
またこのとき、前述した「Ｙｅｓ」ボタン１１５Ｄの操作信号に対応して、既に読み取った上記第１無線タグ回路素子Ｔo1のタグＩＤ（上記の例では「ＬｅｇａｌＦｉｌｅＮｏ．９」に対応）と上記第２無線タグ回路素子Ｔo2のタグＩＤ（上記の例では「３Ｆ  Ｂｏｏｋｓｈｅｌｆ  Ｎｏ．４」に対応）とを関連づけた情報（関連情報）を生成する。図１６（ａ）はこの関連情報信号の構成を概念的に表した図であり、パケット種類（この例では「更新要求」）を表すパケット表示部と、上記第１無線タグ回路素子Ｔo1のタグＩＤ（物品タグＩＤ）と、上記第２無線タグ回路素子Ｔo2のタグＩＤ（場所タグＩＤ）とを備えている。
【００９５】
そして、上記構成の関連情報を含む登録指示信号（登録コマンド）がＣＰＵ２０２Ａから無線ＬＡＮ通信部２０３を介し無線通信にてアンテナ２０５へ出力され、さらに基地局２０４から通信回線２０６を介してサーバ２０７に入力され、データベースＤＢ内に関連情報が記憶される（既に記憶されていればデータ更新される）。図１６（ｂ）はこのようにしてデータベースＤＢのデータ記憶（更新）が完了したときに上記と逆のルートでサーバ２０７からＣＰＵ２０２Ａへ出力される回答信号の構成を概念的に表した図であり、パケット種類（この例では「更新回答」）を表すパケット表示部と、記憶（更新）の可否を表す情報とを備えている。
【００９６】
図１７は、上記データベースＤＢ内において記憶された関連情報の例を概念的に表す図である。図１７において、データベースＤＢに、対象物（位置特定物）の物品名称（物識別情報）と、これに関連づけられる上記第１無線タグ回路素子Ｔo1のタグＩＤ（第１タグ識別情報）と、当該物品が配置されている箇所を表す対象物（位置基準物）の場所名称（場所識別情報）と、これに関連づけられる上記第２無線タグ回路素子Ｔo2のタグＩＤ（第２タグ識別情報）とがそれぞれ対応づけられて格納される。なお、物品名称や場所名称を省略し、第１無線タグ回路素子Ｔo1のタグＩＤ（第１タグ識別情報）と第２無線タグ回路素子Ｔo2のタグＩＤ（第２タグ識別情報）とのみを対応づけて格納するようにしてもよい。この場合、このようにすれば、データベースＤＢの管理運用がさらに容易になるという利点がある。
【００９７】
以上説明したような手順により、各物品の配置場所情報がデータベースＤＢ内に（更新可能に）構築され、これを適宜検索することで各部品の管理状態を把握することができる。
【００９８】
図１８は、以上の位置特定操作において、画面表示及び各種処理を実現するために、リーダ２００に備えられた上記制御回路２０２のＣＰＵ２０２Ａが実行する主要な制御手順を表すフローチャートである。
【００９９】
図１８において、例えば電源投入後に表示部５に表示される初期画面１０１において「ＵｐｄａｔｅＬｏｃａｔｉｏｎ」ボタン１０１Ｂが操作されると、このフローが開始される。
【０１００】
まずステップＳ５５において、表示部５に表示制御信号を出力して、前述の図７に示した物品タグ読み取り指示画面１１１を表示させる。
【０１０１】
その後、ステップＳ６０において、読み取り開始指示があったか（画面１１１の上記「Ｓｔａｒｔ」ボタン１１１Ｂが操作され対応する操作信号が入力されたか）を判定する。物品タグのタグＩＤ読み取りのためにボタン１１１Ｂが操作された場合は判定が満たされ、ステップＳ３００に移る。
【０１０２】
ステップＳ３００では、回路制御部２０２Ｄを介し高周波回路２０１にて上記タグＩＤを特定しない（物品タグＴ1の無線タグ回路素子Ｔo1である旨の識別部分は特定しても良い）無線タグ回路素子Ｔo1への情報読み取り信号が生成されてアンテナ１０を介し通信可能範囲内に送信放射され、当該タグＩＤを備えた探索対象の無線タグ回路素子Ｔo1の検出が実行される（詳細は後述の図１９参照）。また表示制御信号を出力して表示部６に対応する表示を行わせる（図８参照）。
【０１０３】
その後、ステップＳ６５において、上記読み取りが成功したか（無線タグ回路素子Ｔo1から応答があったかどうか）が判定される。いずれかの対象無線タグ回路素子Ｔo1からタグＩＤを含む応答信号がアンテナ１０で受信され、高周波回路２０１及び回路制御部２０２Ｄを介し取得された場合は判定が満たされ、ステップＳ３５０に移る。
【０１０４】
ステップＳ３５０では、上記取得されたタグＩＤに対応したデータベースＤＢの問い合わせ処理を行い、問い合わせ信号（図９（ａ）参照）を生成してサーバ２０７に対し無線ＬＡＮ通信部２０３及び基地局２０４を介して出力する。その後、この問い合わせ信号に応じてサーバ２０７が実行した検索結果を、基地局２０４及び無線ＬＡＮ通信部２０３を介して受信し、例えば一旦ＲＡＭ２０２Ｃに記憶する。
【０１０５】
その後、ステップＳ７０に移り、表示部５に表示制御信号を出力して、前述の図１１に示した場所タグ読み取り指示画面１１３を表示させる。
【０１０６】
その後、ステップＳ７５において、読み取り開始指示があったか（画面１１３の上記「Ｓｔａｒｔ」ボタン１１３Ｂが操作され対応する操作信号が入力されたか）を判定する。場所タグのタグＩＤ読み取りのためにボタン１１３Ｂが操作された場合は判定が満たされ、ステップＳ４００に移る。
【０１０７】
ステップＳ４００では、回路制御部２０２Ｄを介し高周波回路２０１にて上記タグＩＤを特定しない（場所タグＴ2の無線タグ回路素子Ｔo2である旨の識別部分は特定しても良い）無線タグ回路素子Ｔo2への情報読み取り信号が生成されてアンテナ１０を介し通信可能範囲内に送信放射され、当該タグＩＤを備えた探索対象の無線タグ回路素子Ｔo2の検出が実行される（詳細は後述の図１９参照）。また表示制御信号を出力して表示部６に対応する表示を行わせる（図１２参照）。
【０１０８】
その後、ステップＳ８０において、上記読み取りが成功したか（無線タグ回路素子Ｔo2から応答があったかどうか）が判定される。いずれかの対象無線タグ回路素子Ｔo2からタグＩＤを含む応答信号がアンテナ１０で受信され、高周波回路２０１及び回路制御部２０２Ｄを介し取得された場合は判定が満たされ、ステップＳ４５０に移る。
【０１０９】
ステップＳ４５０では、上記取得されたタグＩＤに対応したデータベースＤＢの問い合わせ処理を行い、問い合わせ信号（図９（ａ）参照）を生成してサーバ２０７に対し無線ＬＡＮ通信部２０３及び基地局２０４を介して出力する。その後、この問い合わせ信号に応じてサーバ２０７が実行した検索結果を、基地局２０４及び無線ＬＡＮ通信部２０３を介して受信し、例えば一旦ＲＡＭ２０２Ｃに記憶する。
【０１１０】
その後、ステップＳ８５に移り、表示部５に表示制御信号を出力して、前述の図１４に示したデータベース登録指示画面（最新状態確認画面）１１５を表示させる。
【０１１１】
その後、ステップＳ９０において、データベースＤＢへの登録指示があったか（画面１１５の上記「Ｙｅｓ」ボタン１１５Ｄが操作され対応する操作信号が入力されたか）を判定する。（上記一旦記憶しておいた）物品タグＴ1に係るタグＩＤ及び場所タグＩＤに係るタグＩＤを関連づけて（セットにして）データベースＤＢへ登録（更新）するためにボタン１１５Ｄが操作された場合は判定が満たされ、ステップＳ５００に移る。
【０１１２】
ステップＳ５００では、上記２つのタグＩＤを用いた関連情報を形成（図１６（ａ）参照）を生成してサーバ２０７に対し無線ＬＡＮ通信部２０３及び基地局２０４を介して出力する。その後、この関連情報の出力に応じてサーバ２０７が登録を実行した結果を、基地局２０４及び無線ＬＡＮ通信部２０３を介して受信し、例えば一旦ＲＡＭ２０２Ｃに記憶する。
【０１１３】
その後、ステップＳ９５に移り、上記ステップＳ５００でサーバ２０７より受信し記憶させておいた登録成否結果に応じ、これに対応した表示制御信号を生成し、これを表示部５へと出力し、前述の図１５に示したデータベース更新完了画面１１６を表示させて、このフローを終了する。
【０１１４】
図１９は、上記ステップＳ３００又はステップＳ４００のタグ読み取り処理の詳細手順を表すフローチャートである。
【０１１５】
まず、ステップＳ１０５において、今回の通信で使用する通信プロトコルを設定する。この設定は、前述したように、無線ＬＡＮ通信部２０３を介した基地局２０４のアンテナ２０５との通信と干渉せず互いにそれぞれ排他的に無線通信を行えるように通信態様を設定するためのものであり、プロトコルに代えて周波数等を異ならせるようにしてもよい。またステップＳ３００における無線タグ回路素子Ｔo1への通信とステップＳ４００における無線タグ回路素子Ｔo2への通信とにおいてもプロトコルや周波数等通信態様を互いに異ならせても良い。
【０１１６】
その後、ステップＳ１１０において、無線タグ回路素子Ｔo1又はＴo2からの応答がない場合にリトライを行う回数（アクセス試行回数）をカウントする変数Ｎを０に初期化する。
【０１１７】
そして、ステップＳ１２０において、先のステップＳ１０５で設定した通信プロトコルに基づき無線タグ回路素子Ｔo1又はＴo2に記憶された情報を読み出す「Scroll ALL ID」信号を生成して高周波回路２０１を介し通信範囲内の無線タグ回路素子Ｔo1又はＴo2に上記通信プロトコルを用いて送信され、返信を促す。
【０１１８】
次に、ステップＳ１３０において、上記「Scroll ALL ID」信号に対応していずれかの無線タグ回路素子Ｔo1又はＴo2から送信されたリプライ信号（タグＩＤ等を含む）を、アンテナ１０を介して受信し、高周波回路２０１を介し取り込む。
【０１１９】
次に、ステップＳ１４０において、上記ステップＳ１３０で受信したリプライ信号に誤りがないか否かを公知のＣＲＣ符号（Cyclic Redundancy Check）を用いて判定する。
【０１２０】
判定が満たされない場合はステップＳ１５０に移ってＮに１を加え、さらにステップＳ１６０においてＮ＝５かどうかが判定される。Ｎ≦４の場合は判定が満たされずステップＳ１２０に戻り同様の手順を繰り返す。
【０１２１】
Ｎ＝５の場合はステップＳ１９０に移り、エラー表示制御信号を上記表示部５へ出力し、対応する読み取り失敗（エラー）表示を行わせるか、又はエラー音声信号を上記音声報知手段７へ出力し対応する音声を発声させ、このフローを終了する。
【０１２２】
一方、ステップＳ１４０の判定が満たされた場合、探索対象とする無線タグ回路素子Ｔo1又はＴo2からのタグＩＤの読み取り（＝対象無線タグＴ1又はＴ2のスキャン）が完了し、このフローを終了する。
【０１２３】
なお、上記図１９に示すステップＳ３００又はステップＳ４００のタグ読み取り処理手順において、物品タグＴ1と場所タグＴ2とを互いに間違えて読み取らせてしまった場合に対応する場合には、例えば下記の手法がある。
【０１２４】
すなわち、「Scroll
All ID」信号を用いてタグＩＤを取得したとき、その無線タグ回路素子Ｔoが物品タグか場所タグかのどちらであるかを知るために、ステップＳ３５０又はステップＳ４５０でのサーバ２０７への問合せにおいてこの種別についての問合せも併せて行う。この場合、図９（ｂ）に示したコマンドの応答においてタグ種別フラグを追加するようにし、かつ、ステップＳ３５０においては当該応答によって物品タグであることを確認し、ステップＳ４５０においては当該応答によって場所タグであることを確認するようにすればよい。そして、もし目的の種別のタグ(物品or場所)でなければ、タグ読取処理を再試行するか、エラー表示するようにすればよい。
【０１２５】
あるいは、上記のようなデータベースへのアクセスによるタグ種別確認を省く場合には、あらかじめタグＩＤエリアに種別エリアを設けておき、その種別エリアを指定して「Scroll ID」信号を使用することで、応答するタグが物品タグと場所タグのどちらかを知ることができる。
【０１２６】
上記（１）で説明したようにしてデータベースＤＢに各物品の配置場所情報が構築されている状態で、例えば管理者が図６に示した初期画面１０１において指又は操作具により「Ｓｅａｒｃｈ」ボタン１０１Ａを操作すると、次の図２０に示すデータベース検索指示画面１０２へ移行する。
【０１２７】
図２０は、上記「Ｓｅａｒｃｈ」ボタン１０１Ａを操作することにより表示部５に表示されるデータベース検索指示画面１０２を表す図である。図２０において、この画面１０２には、キーワード入力ボックス１０２Ａと、上記データベースＤＢの検索を行うための「Ｓｅａｒｃｈ」ボタン１０２Ｂと、上記キーワード入力ボックス１０２Ｂに入力したキーワードをクリアするための「Ｃｌｅａｒ」ボタン１０２Ｃと、処理を停止させ初期画面１０１に戻るための「Ｑｕｉｔ」ボタン１０２Ｄとが設けられている。
【０１２８】
キーワード入力ボックス１０２Ａは、データベースＤＢにおける検索を行うための検索キーワード（検索条件）を入力するためのものであり、この例では管理者により「Ｌｅｇａｌ  Ｆｉｌｅ（法律文書）」と入力された場合を示している。なお、このテキスト入力に当たっては、例えばこのボックス１０２Ａを操作すると図示しないテキスト入力画面（又は割り込みウィンドウ等）に移行して日本語の五十音やアルファベットの入力ボタンが表示されるようにしても良いし、上記した指や操作具によって管理者がフリーハンドで筆記動作をするとこの検出信号をもとにＣＰＵ２０２Ａが公知の文字認識処理を行うようにしても良いし、図２では図示しなかったが筐体４に別途このテキスト入力用の機械式の操作ボタンを設けるようにしてもよい。
【０１２９】
なおこのとき、キーワード入力ボックス１０２Ａには、キーワードとしてファイル名等のフルネーム（後述のように「Ｌｅｇａｌ  Ｆｉｌｅ９」）を必ずしも入力する必要はなく、上記のようにその一部のみで検索できるようになっている（上記「Ｌｅｇａｌ  Ｆｉｌｅ」等。その他例えば「Ｆｉｌｅ」「Ｌｅｇａｌ」等でも可能。さらには「Ｆ」「Ｌ」等の入力でも検索可能としてもよい）。またボックス１０２Ａにキーワードを何も入力せず「Ｓｅａｒｃｈ」ボタン１０２Ｂを操作した場合には、前述したようにしてデータベースＤＢに格納保持されたすべてのデータ（図１７参照）がリストアップされて表示されるようにしてもよい。さらに、一度ボックス１０２Ａに入力した後は当該キーワードは例えばＲＡＭ２０２Ｃ等に記憶されており、一旦別の画面に移行してからこのデータベース検索指示画面１０２に戻った場合（あるいは次回操作時にこの画面１０２を表示させた場合）には、当該記憶したキーワードが初期表示として表示されるようにしてもよい。
【０１３０】
管理者がキーワード入力ボックス１０２Ａに所定のキーワードを入力した後「Ｓｅａｒｃｈ」ボタン１０２Ｂを操作すると、操作信号が上記ＣＰＵ２０２Ａに入力されるとともに、その操作信号に対応した検索指示信号（検索コマンド）が生成されて無線ＬＡＮ通信部２０３を介し無線通信にてアンテナ２０５へ出力され、さらに基地局２０４から通信回線２０６を介してサーバ２０７に入力される。
【０１３１】
上記サーバ２０７は、上記検索指示信号に含まれる上記キーワードを基に、上記図１７に例示したようにデータベースＤＢ内に格納されている全データ（ファイル）の中から当該キーワードに該当するものを抽出し、それら抽出したデータ情報を上記とは逆に通信回線２０６を介して基地局２０４へと出力する。この信号はさらにアンテナ２０５より無線通信にて無線ＬＡＮ通信部２０３へ出力され、ＣＰＵ２０２Ａに入力される。ＣＰＵ２０２Ａではその入力した信号に対応した表示制御信号を生成し、これを表示部５へと出力する。この結果、表示部５は、次の図２１に示す検索結果表示画面１０３へ移行する。
【０１３２】
図２１は、上述のようにして表示部５に表示された検索結果表示画面１０３を表す図である。図２１において、この画面１０３には、検索結果を表す物品表示部（「Ｉｔｅｍ」）１０３Ａ、場所表示部（「Ｌｏｃａｔｉｏｎ」）１０３Ｂ、データ数表示部１０３Ｆと、上記データベースＤＢの検索を再試行するための「Ｒｅｔｒｙ」ボタン１０３Ｄと、処理を停止させ初期画面１０１に戻るための「Ｑｕｉｔ」ボタン１０３Ｅとが設けられている。
【０１３３】
この例では、前述したデータベース検索指示画面１０２でキーワード入力ボックス１０２Ａ「Ｌｅｇａｌ  Ｆｉｌｅ（法律文書）」と入力された場合に対応した例を示しており、データ数表示部１０３Ｆにはこの場合に該当するデータとしてヒットしたものが２００個あったことが示され、物品表示部１０３Ａには、当該２００のデータの名称「Ｌｅｇａｌ  Ｆｉｌｅ１」「Ｌｅｇａｌ  Ｆｉｌｅ２」「Ｌｅｇａｌ  Ｆｉｌｅ３」…等が所定の順番に（この例ではスクロール可能に）表示され、場所表示部１０３Ｂにはそれらにそれぞれ対応する配置個所「２Ｆ  ＢｏｏｋＳｈｅｌｆ１」（但し煩雑を避けるため末尾の図示省略。以下同様）「２Ｆ  ＢｏｏｋＳｈｅｌｆ２」「２Ｆ  ＢｏｏｋＳｈｅｌｆ３」「２Ｆ  ＢｏｏｋＳｈｅｌｆ４」「２Ｆ  ＢｏｏｋＳｈｅｌｆ５」「３Ｆ  ＢｏｏｋＳｈｅｌｆ１」「３Ｆ  ＢｏｏｋＳｈｅｌｆ２」「３Ｆ  ＢｏｏｋＳｈｅｌｆ３」「３Ｆ  ＢｏｏｋＳｈｅｌｆ４」「３Ｆ  ＢｏｏｋＳｈｅｌｆ５」…等が所定の順番に（この例ではスクロール可能に）表示されている。
【０１３４】
この状態で、管理者が上記した指や操作具により物品表示部１０３Ａ又は場所表示部１０３Ｂにおいて１つのデータを選択すると、図２２に示すように物品探索準備完了状態となる。図２２において、この例では、物品表示部１０３Ａに「Ｌｅｇａｌ  Ｆｉｌｅ９」場所表示部１０３Ｂに「３Ｆ  ＢｏｏｋＳｈｅｌｆ４（但し煩雑を避けるため末尾の図示省略）」で表されたデータが選択された状態（網掛け、反転等の表示状態）を表しており、この選択に伴って、前述の「Ｒｅｔｒｙ」ボタン１０３Ｄが操作不能となるとともに、探索開始指示のための「Ｓｃａｎ」ボタン１０３Ｃが操作可能に出現する。また併せて、図１７に例示したような相関情報に基づき、上記選択されたデータ（「Ｌｅｇａｌ  Ｆｉｌｅ９」）に対応した上記無線タグ回路素子Ｔo1の上記識別情報（タグＩＤ、ＩｔｅｍＴａｇＩＤ）がＣＰＵ２０２Ａによって抽出取得され、探索対象タグＩＤとして（例えばＲＡＭ２０２Ｃに）記憶（セット）され、この選択したデータに係わる物品探索の準備が完了する。この状態で、「Ｓｃａｎ」ボタン１０３Ｃを操作すると、次の図２３に示す場所確認画面１０５へ移行する。
【０１３５】
図２３は、上記「Ｓｃａｎ」ボタン１０３Ｃを操作することにより表示部５に表示される場所確認画面１０５を表す図である。図２３において、この画面１０５には、上記した現在選択されているデータの名称及び配置個所（物品表示部１０３Ａ又は場所表示部１０３Ｂと同一の内容「Ｌｅｇａｌ  Ｆｉｌｅ９」「３Ｆ  ＢｏｏｋＳｈｅｌｆ４」）を表示する現在情報表示部１０５Ａと、前述したように既にセットされているタグＩＤを用いて当該データの物品（この例では法律書類）に関連づけられた無線タグ回路素子Ｔo1の探索を開始するための「Ｓｔａｒｔ」ボタン１０５Ｂとが設けられている。
【０１３６】
この状態で、管理者は、例えば上記場所表示部１０３Ｂの表示を確認して、その表示された箇所、すなわち「３Ｆ  ＢｏｏｋＳｈｅｌｆ４」であれば当該建造物３階の第４本棚まで自ら移動する。その後、上記「Ｓｔａｒｔ」ボタン１０５Ｂを操作すると、図２４に示すように無線タグ回路素子探索実行中「Ｓｃａｎｎｉｎｇ」の状態となる。なお、さらに操作の簡略性を向上するために、図２２において「Ｓｃａｎ」ボタン１０３Ｃを操作すると、図２３に移行せずただちに図２４に示す状態へ移行するようにしてもよい。
【０１３７】
図２４において、前述の「Ｓｔａｒｔ」ボタン１０５Ｂが操作不能となるとともに、無線タグ回路素子の探索停止指示のための「Ｓｔｏｐ」ボタン１０５Ｃが操作可能に出現する。また併せて、上記セットされたタグＩＤを用いて、ＣＰＵ２０２Ａの制御に基づき、回路制御部２０２Ｄを介し高周波回路２０１にて上記タグＩＤを特定した無線タグ回路素子Ｔo1への情報読み取り信号が生成されてアンテナ１０を介し通信可能範囲内に送信放射され、当該タグＩＤを備えた探索対象の無線タグ回路素子Ｔo1の探索が実行される（詳細は後述）。
【０１３８】
探索対象の無線タグ回路素子Ｔo1から上記タグＩＤを含む応答信号がアンテナ１０で受信され、高周波回路２０１及び回路制御部２０２Ｄを介し当該タグＩＤがＣＰＵ２０２Ａにて取得されたら（＝探索対象無線タグ回路素子Ｔo1が見つかったら）、ＣＰＵ２０２Ａではその取得に対応した表示制御信号を生成し、これを表示部５へと出力する。この結果、表示部５は、次の図２５に示す探索成功表示画面１０７へ移行する。
【０１３９】
図２５は、上述のようにして表示部５に表示された探索成功表示画面１０７を表す図である。図２５において、この画面１０７には、対象の無線タグ回路素子Ｔo1の探索に成功した旨の成功表示「Ｂｉｎｇｏ！」を表示する成功表示部１０７Ａと、上記無線タグ回路素子Ｔo1のデータ名称及び配置個所（前述の現在情報表示部１０５Ａとほぼ同一の内容）を表示する現在情報表示部１０７Ｂと、上記無線タグ回路素子Ｔo1の探索を再試行するための「Ｒｅｔｒｙ」ボタン１０７Ｃと、無線タグ回路素子Ｔo1に係る物品を移動したときに、当該移動をデータベースＤＢの情報に反映させるための「ＣｈａｎｇｅＬｏｃａｔｉｏｎ」ボタン１０７Ｄ（詳細は後述）と、処理を停止させ前述の初期画面１０１に戻るための「Ｑｕｉｔ」ボタン１０７Ｅとが設けられている。
【０１４０】
図２６は、以上のデーターベース検索操作において、画面表示及び各種処理を実現するために、リーダ２００に備えられた上記制御回路２０２のＣＰＵ２０２Ａが実行する主要な制御手順を表すフローチャートである。
【０１４１】
図２６において、例えば電源投入後に表示部５に表示される初期画面１０１において「Ｓｅａｒｃｈ」ボタン１０１Ａが操作されると、このフローが開始される。
【０１４２】
まずステップＳ１５において、表示部５に表示制御信号を出力して、前述の図２０に示したデータベース検索指示画面１０２を表示させる。
【０１４３】
その後、ステップＳ２０において、データベース検索開始指示があったか（キーワード入力ボックス１０２Ａに所定のキーワードを入力した後「Ｓｅａｒｃｈ」ボタン１０２Ｂが操作され対応する操作信号が入力されたかどうか）を判定する。データベース検索開始を指示するため「Ｓｅａｒｃｈ」ボタン１０２Ｂが操作された場合は判定が満たされ、ステップＳ１００に移る。
【０１４４】
ステップＳ１００では、上記ボタン１０２Ｂの操作信号に対応したデータベースＤＢの検索処理を行い、検索指示信号（検索コマンド）を生成してサーバ２０７に対し無線ＬＡＮ通信部２０３及び基地局２０４を介して出力する。
【０１４５】
その後、ステップＳ２５に移り、上記ステップＳ１００の検索指示信号に応じてサーバ２０７が実行した検索結果を、基地局２０４及び無線ＬＡＮ通信部２０３を介して受信し、対応する表示制御信号を生成して表示部５へ出力して検索結果表示画面１０３を表示させる。
【０１４６】
その後、ステップＳ３０で、検索結果表示画面１０３の物品表示部１０３Ａ又は場所表示部１０３Ｂにおいて１つのデータが選択されたか（データ選択後「Ｓｅａｒｃｈ」ボタン１０１Ａが操作され、対応する操作信号が入力されたかどうか）を判定する。物品探索のためにボタン１０１Ａが操作された場合は判定が満たされ、ステップＳ１５０に移る。
【０１４７】
ステップＳ１５０では、物品探索準備処理を行い、上記ステップＳ３０の選択操作に応じて、選択されたデータに対応した上記無線タグ回路素子Ｔo1の上記識別情報（タグＩＤ）をステップＳ１００でサーバ２０７より受信したデータの中から抽出取得し、探索対象タグＩＤとして（例えばＲＡＭ２０２Ｃに）記憶（セット）する。
【０１４８】
その後、ステップＳ３５に移り、表示部５に表示制御信号を出力して、前述の図２３に示した場所確認画面１０５を表示させる。
【０１４９】
そして、ステップＳ４０において、場所確認画面１０５において、探索開始指示がされたか（「Ｓｔａｒｔ」ボタン１０５Ｂが操作され、対応する操作信号が入力されたかどうか）を判定する。探索対象の物品に関連づけられた無線タグ回路素子Ｔo1の探索を開始するためにボタン１０５Ｂが操作された場合は判定が満たされ、ステップＳ２００に移る。
【０１５０】
ステップＳ２００では、上記ステップＳ１５０で既にセットされているタグＩＤを用いて、回路制御部２０２Ｄを介し高周波回路２０１にて上記タグＩＤを特定した無線タグ回路素子Ｔo1への情報読み取り信号が生成されてアンテナ１０を介し通信可能範囲内に送信放射され、当該タグＩＤを備えた探索対象の無線タグ回路素子Ｔo1の探索が実行される（詳細は後述の図２７参照）。
【０１５１】
その後、ステップＳ４５において、上記探索が成功したか（探索対象の無線タグ回路素子Ｔo1が見つかったかどうか）が判定される。対象無線タグ回路素子Ｔo1からタグＩＤを含む応答信号がアンテナ１０で受信され、高周波回路２０１及び回路制御部２０２Ｄを介し取得された場合は判定が満たされ、ステップＳ５０に移る。
【０１５２】
ステップＳ５０では、上記ステップＳ４５での取得成功判定に応じ、これに対応した表示制御信号を生成し、これを表示部５へと出力し、前述の図２５に示した探索成功表示画面１０７を表示させて、このフローを終了する。
【０１５３】
図２７は、上記ステップＳ２００のタグ探索処理の詳細手順を表すフローチャートである。前述の図１９と同様の手順には同一の符号を付し、適宜説明を省略又は簡略化する。
【０１５４】
図２７において、このタグ探索処理の手順が上記図１９のタグ読み取り処理の手順と異なるのは、ステップＳ１２０に代えて新たにステップＳ１２０Ａが設けられていることである。それ以外の手順はほぼ同様である。
【０１５５】
すなわち、ステップＳ１０５で通信プロトコルを設定し、ステップＳ１１０で無線タグ回路素子Ｔo1からの応答がない場合のリトライ回数Ｎを初期化した後、ステップＳ１２０で探索対象の特定の無線タグ回路素子Ｔo1に記憶された情報を読み出す「Scroll ID」信号を生成して高周波回路２０１を介し対応する探索対象の無線タグ回路素子Ｔo1に送信され、返信を促す。
【０１５６】
その後、ステップＳ１３０で上記「Scroll ID」信号に対応して探索対象の無線タグ回路素子Ｔo1から送信されたリプライ信号（タグＩＤ等を含む）を取り込んで、ステップＳ１４０でそれに誤りがないか否かを判定する。誤りがある場合はステップＳ１５０→ステップＳ１６０を経てＮ＝５となるまでリトライが繰り返される。Ｎ＝５となったらステップＳ１９０でエラー表示又はエラー音声を発声させ、このフローを終了する。上記リプライ信号に誤りがなくステップＳ１４０の判定が満たされた場合、探索対象とする無線タグ回路素子Ｔo1からのタグＩＤの読み取り（＝対象無線タグＴ1のスキャン）が完了し、このフローを終了する。
【０１５７】
（３）物品移動後データベースの更新操作
上記（２）で説明したようにして目的とする物品を見つけだした後、管理者が当該物品を別の場所に移動した場合、正確な物品管理を行うために当該移動状態をデータベースＤＢのデータに反映（更新）させる必要がある。このような場合、管理者が上記図２５に示した探索成功表示画面１０７において指又は操作具により「ＣｈａｎｇｅＬｏｃａｔｉｏｎ」ボタン１０７Ｄを操作すると、前述の図１１を用いて説明した場所タグ読み取り指示画面１１３へ移行する。但し、この場合、上記現在情報表示部１１３Ａに、部品名称のほかに移動前の場所情報が併せて表示される。図２８はこのような状態の画面１１３を表す図である。
【０１５８】
図２８において、この例では、先の図２５の探索成功表示画面１０７の現在情報表示部１０７Ａに示した表示内容と同様、現在情報表示部１１３Ａに「Ｌｅｇａｌ  Ｆｉｌｅ９」「３Ｆ  ＢｏｏｋＳｈｅｌｆ４」が表示されている。この状態で管理者が上記「Ｓｔａｒｔ」ボタン１１３Ｂを操作すると、先に図１２を用いて説明したように場所タグＴ2の無線タグ回路素子Ｔo2の探索実行中の状態となり、さらに回路制御部２０２Ｄを介し高周波回路２０１にてタグＩＤを特定しない無線タグ回路素子Ｔo2への情報読み取り信号が生成されてアンテナ１０を介し通信可能範囲内に送信放射され、無線タグ回路素子Ｔo2の探索が実行される。
【０１５９】
いずれかの無線タグ回路素子Ｔo2からタグＩＤを含む応答信号がアンテナ１０で受信され、当該タグＩＤがＣＰＵ２０２Ａにて取得されたら、前述と同様、ＣＰＵ２０２Ａではその取得に対応し、そのタグＩＤに対応した問い合わせ信号（問い合わせコマンド）が生成されて通信回線２０６を介してサーバ２０７に入力される。そして、サーバ２０７により上記問い合わせ信号に含まれる上記タグＩＤに該当するものとして抽出されたデータ情報（場所名称等）がＣＰＵ２０２Ａに入力され、これに応じて表示部５は前述の図２７を用いて説明したデータベース登録指示画面（最新状態確認画面）１１５を表示する。但し、この場合、（最新）場所名称表示部１１５Ｃに上記サーバ２０７より取得した場所名称が表示されるとともに、上記（現在）場所名称表示部１１５Ｂには移動前の場所情報が併せて表示される。図２９はこのような状態の画面１１５を表す図である。
【０１６０】
図２９において、この例では、管理者により物品が３階の第４本棚から同じ３階の第１本棚に移動された場合を示しており、これに対応して、（最新）場所名称表示部１１５Ｃには「３Ｆ  Ｂｏｏｋｓｈｅｌｆ  Ｎｏ．１」が表示されるとともに、（現在）場所名称表示部１１５Ｂには「３Ｆ  Ｂｏｏｋｓｈｅｌｆ  Ｎｏ．４」が表示されている。
【０１６１】
データベースＤＢのデータ更新を指示するための「Ｙｅｓ」ボタン１１５Ｄあるいは初期画面１０１に戻るための「Ｎｏ」ボタン１１５Ｅを用いたこれ以降の操作は上記（２）で説明したのと同様であるので、説明を省略する。
【０１６２】
また、上記物品移動後のデータベース更新操作において画面表示及び各種処理を実現するために、リーダ２００に備えられた上記制御回路２０２のＣＰＵ２０２Ａが実行する制御手順を表すフローチャートは、前述の図１８に示したフローのステップＳ７０以降と同一で足りるので、説明を省略する。
【０１６３】
以上のようにして、一旦探索した物品を移動させた場合に、当該移動状態をデータベースＤＢに反映させることができる。
【０１６４】
以上において、高周波回路２０１及びアンテナ１０は、各請求項記載の、読み取り可能に情報を保持した情報保持部から、当該情報保持部の保持部識別情報を実質的に非接触で読み取って取得する非接触情報取得手段を構成し、さらに詳細には、情報を記憶するＩＣ回路部及びこのＩＣ回路部に接続されたタグ側アンテナをそれぞれ備え第１及び第２対象物にそれぞれ係わる情報保持部としての第１及び第２無線タグ回路素子と無線通信により情報の送受信を行い、保持部識別情報としての当該第１及び第２無線タグ回路素子の第１及び第２タグ識別情報を取得するための無線通信手段を構成する。
【０１６５】
また、図１６（ａ）に示した構成の信号が、非接触情報取得手段によって取得され第１対象物に対応する第１保持部識別情報と、非接触情報取得手段によって取得され第２対象物に対応する第２保持部識別情報とを、相互に関連付けた関連情報を構成し、図１８に示したフローのステップＳ４５０が、この関連情報を形成する関連情報形成手段と、この関連情報形成手段で形成した前記関連情報を、対応するデータベースにアクセスし記憶させるための信号を出力する登録信号出力手段とを構成する。
【０１６６】
以上説明したように、本実施形態によれば、管理者がある特定の物品をその位置情報と関連づけて管理したい場合において、リーダ２００によって当該物品に係る第１無線タグ回路素子Ｔo1のタグＩＤと、当該物品が配置される場所等に係る第２無線タグ回路素子Ｔo2のタグＩＤとが読み取られ、それら２つのタグＩＤを相互に関連付けて関連情報が形成され（図１６（ａ）参照）、この関連情報がサーバ２０７へ送られてデータベースＤＢに記憶される。
【０１６７】
このようにして、基準位置情報としての機能を果たす第２無線タグ回路素子Ｔo2のタグＩＤと、位置特定情報としての機能を果たす第１無線タグ回路素子Ｔo1のタグＩＤとをセットにしてデータベースＤＢへ格納することにより、管理者は、それ以降、特定の物品に対応する第１無線タグ回路素子Ｔo1のタグＩＤが、データベースＤＢ内にて関連情報によりどの第２無線タグ回路素子Ｔo2のタグＩＤと関連付けられているかを検索するだけで、探したい特定の物品の存在場所を決定することができる。また、上記のようにリーダ２００において第１無線タグ回路素子Ｔo1のタグＩＤと第２無線タグ回路素子Ｔo2のタグＩＤとの関連情報を予め形成した後にデータベースＤＢへ送信することにより、受信したデータベースＤＢ側ではこれをそのまま記憶すれば足り、従来構造のようにそれら２種類のタグＩＤを別途操作端末で編集したり加工したりして関連付ける必要がない。この結果、管理者の物品管理時の操作負担や労力を低減でき、利便性を大幅に向上することができる。
【０１６８】
また、この実施形態では特に、リーダ２００から（この例では無線ＬＡＮ通信部２０３を介した）無線通信を介しデータベースＤＢにアクセスして検索を行うことにより、有線通信を介する場合のような装置設置場所や設置範囲の制限なく、比較的広い範囲で自由自在にリーダ２００を用いてデータベースＤＢにアクセスすることができる。
【０１６９】
また、この実施形態では特に、上記無線ＬＡＮ通信部２０３を介した基地局２０４のアンテナ２０５との無線通信と、アンテナ１０を介した無線タグ回路素子Ｔoとの無線通信とが、互いに干渉せずそれぞれ排他的に通信できるように、異なる通信態様とする（例えばプロトコルや周波数等を異ならせる）ようになっている。これにより、互いに無線通信時に悪影響を及ぼすことなく、信頼性の高い無線情報通信を確保することができる。
【０１７０】
なお、本発明は、上記実施形態に限られず、その趣旨と技術思想の範囲を逸脱しない範囲で更に種々の変形が可能である。以下その変形例を説明する。
【０１７１】
（Ａ）関連情報登録前に照合を行う場合
上記実施形態においては、前述の図１４又は図２９の画面１１５において、データベースＤＢのデータ更新を指示するための「Ｙｅｓ」ボタン１１５Ｄを操作したら、第１無線タグ回路素子Ｔo1のタグＩＤと第２無線タグ回路素子Ｔo2のタグＩＤとを関連づけた関連情報を生成した後、そのままそれをデータベースＤＢへ登録（更新）したが、これに限られない。すなわち、上記のようにして関連情報が形成された場合、上記のようなデータベースＤＢへの登録の前に、予めデータベースＤＢへアクセスし、既にデータベースＤＢへ登録されている第２無線タグ回路素子Ｔo2のタグＩＤと、上記関連情報において新たに関連付けられた第２無線タグ回路素子ＴoのタグＩＤとが合致しているかどうかを、照合判断するようにしてもよい。この場合は、照合を行うかどうかの操作手段を介して管理者に選択入力させる（当該操作手段が照合信号出力手段）ようにしてもよい。あるいは、関連情報形成後に（管理者の操作なしで）自動的に上記照合を行うようにしてもよい。さらには制御回路２０２あるいはリーダ２００の外部で照合を行うようにしてもよい。
【０１７２】
さらに、上記照合結果に基づき、既にデータベースＤＢへ登録されている第２無線タグ回路素子Ｔo2のタグＩＤと、上記関連情報において新たに関連付けられた第２無線タグ回路素子ＴoのタグＩＤとが合致していないと判断された場合に、上記新たに形成された関連情報をデータベースＤＢに登録（更新）するようにしてもよい。
【０１７３】
この場合、照合結果に基づき、合致していない場合にのみ更新登録を行うようにすることで、合致している場合には同じ登録を二重に行わないようにすることができ、データ処理効率の向上を図ることができる。
【０１７４】
（Ｂ）読み取り後自動送信や異なる順番で読み取りを行う場合
すなわち、上記実施形態においては、（１）位置特定操作において、まず第１無線タグ回路素子Ｔo1のタグＩＤを読み取り、その後、図１１の画面１１３の「Ｓｔａｒｔ」ボタン１１３Ｂを手動操作することで第２無線タグ回路素子Ｔo2のタグＩＤを読み取り、さらに図１４の画面１１５の「Ｙｅｓ」ボタン１１５Ｄを手動操作することでそれら２つのタグＩＤの関連情報を形成してサーバ１０７へ送信したが、これに限られず、自動送信としてもよい。
【０１７５】
すなわち、第１無線タグ回路素子Ｔo1のタグＩＤを読み取り、その後、図１１の画面１１３の「Ｓｔａｒｔ」ボタン１１３Ｂを手動操作することで第２無線タグ回路素子Ｔo2のタグＩＤを読み取ったとき、特に画面操作しなくても、読み取った後に所定の時間が経過したら自動的にそれら２つのタグＩＤの関連情報を形成してサーバ１０７へ送信するようにしてもよい。あるいは逆に、第２無線タグ回路素子Ｔo2のタグＩＤを読み取り、その後、手動操作で第１無線タグ回路素子Ｔo1のタグＩＤを読み取り、その後所定の時間が経過したら自動的にそれら２つのタグＩＤの関連情報を形成してサーバ１０７へ送信するようにしてもよい。これにより、関連付けや記憶指示のための手動操作を必要とすることなく、２つのタグＩＤをセットにしてデータベースＤＢへ格納することができる。
【０１７６】
また、以上では、１つの第１無線タグ回路素子Ｔo1（又は第２無線タグ回路素子Ｔo2）のタグＩＤを読み取り、その後、１つの第２無線タグ回路素子Ｔo2（又は第１無線タグ回路素子Ｔo1）のタグＩＤを読み取ったとき、それら２つのタグＩＤの関連情報を形成してサーバ１０７へ送信するようにしたが、これにも限られない。
【０１７７】
すなわち、１つ又は複数の第１無線タグ回路素子Ｔo1のタグＩＤを読み取った後、例えば管理者が前述の操作手段によって関連情報の形成を指示した（この場合は操作手段が形成指示手段）か、若しくは所定の時間が経過したことがタイマーで計測された（この場合はタイマーが形成指示手段）場合に、それら複数のタグＩＤと、その時点より前後所定時間範囲内において取得された第２無線タグ回路素子Ｔo2のタグＩＤとの関連情報を形成し、サーバ１０７へ送信するようにしてもよい。
【０１７８】
この場合は、上記形成指示手段での関連情報形成指示を待ってから関連情報を形成し、データベースＤＢへの登録処理を実行するので、それらすべての処理を自動で行う場合に比べて、管理者の意図しない処理を誤って実行する畏れが生じるのを確実に防止できる。また、複数の第１無線タグ回路素子Ｔo1のタグＩＤを１つの第２無線タグ回路素子Ｔo2のタグＩＤと一括して関連付け、それらをセットにしてデータベースＤＢへ格納することができる。
【０１７９】
また、先に１つの第２無線タグ回路素子Ｔo2のタグＩＤを取得後に、１つの第１無線タグ回路素子Ｔo1のタグＩＤを取得した場合に、自動的にそれらを相互に関連付けて関連情報を形成し、データベースＤＢに格納するようにしてもよい。この場合、２つのタグＩＤの関連付け及びデータベースＤＢへの記憶指示のための手動操作を必要とすることなく、それら２つのタグＩＤをセットにしてデータベースＤＢへ格納することができる。
【０１８０】
（Ｃ）データベースをタグラベル作成装置に設けた場合
以上においては、データベースＤＢはサーバ２０７に備えられていたが、これに限られず、例えば上記無線タグＴ1，Ｔ2を作成する機能を備えたタグラベル作成装置内に設けても良い。
【０１８１】
図３０は、このタグラベル作成装置Ｍの全体概略構成を表す概念的説明図である。図３０において、このタグラベル作成装置Ｍは、管理者が操作を行うための操作部３０２と、タグテープロール３０４に巻回されたタグテープ３０３（タグ媒体、所定間隔で上記無線タグ回路素子Ｔo1,Ｔo2が備えられている）を連続的に供給するカートリッジ３００を着脱可能なカートリッジホルダ３０８と、このタグテープロール３０４から繰り出されたタグテープ３０３（又はこのタグテープ３０３に貼り合わされる図示しない被印字媒体）のうち各無線タグ回路素子Ｔo1,Ｔo2に対応した所定領域に所定の印字を行う印字ヘッド３０５（印字手段）と、無線タグ回路素子Ｔo1,Ｔo2との間で無線通信により情報の送受信を行うためのアンテナ３０６及び高周波回路３０１からなる送受信手段と、上記通信回線２０６に接続された制御回路３０２と、タグテープ３０３への印字及び無線タグ回路素子Ｔoへの上記情報書き込みが終了したタグテープ３０３を所定の長さに切断して上記無線タグ（印字済みタグラベル）Ｔ1，Ｔ2とするカッタ３０７と、印字ヘッド３０５に対向して設けられ、制御回路３０２により制御されてタグテープロール３０４を搬送する搬送装置３０９（搬送手段）と、制御回路３０２に接続されたデータベースＤＢとを有する。
【０１８２】
高周波回路３０１及び制御回路３０２は、詳細な説明を省略するが、上記リーダ２００の高周波回路２０１及び制御回路２０２とほぼ同等の機能を備えるものであり、無線タグ回路素子ＴoのＩＣ回路部１５０へのアクセス情報（タグＩＤを含む）を生成し、装置側アンテナ３０６を介して無線タグ回路素子Ｔoへ送信し、無線タグ回路素子ＴoのＩＣ回路部１５０に対して情報書き込み又は情報読み取りを行う。またデータベースＤＢは上記実施形態と同等の機能を備えており、制御回路３０２を介し有線又は無線の上記通信回線２０６を介して前述のリーダ２００等と接続されて、制御回路３０２の記憶装置としての機能によって通信回線２０６を介した情報の入出力が可能となっている。
【０１８３】
本変形例においては、タグテープ３０３の無線タグ回路素子Ｔo1，Ｔo2に情報読み取り又は書き込みを行って印字済み無線タグラベルＴ1，Ｔ2を作成するタグラベル作成装置Ｍにデータベース記憶処理機能を持たせ、無線タグ回路素子Ｔo1の第１タグ識別情報と無線タグ回路素子Ｔo2の第２タグ識別情報とをセットにしてデータベースＤＢへ格納することができる。
【０１８４】
（Ｄ）その他
以上においては、対象物に情報保持部として無線タグ回路素子Ｔo1，Ｔo2を設け、保持部識別情報としてのタグＩＤを無線通信で読みとるリーダ２００に本発明を適用した場合を例にとって説明したが、これに限られない。すなわち、対象物に情報保持部として公知のバーコードや２次元バーコード（ＱＲコード）等を設け、保持部識別情報としてのバーコード情報を光学的に実質的に非接触で（接触しなくても検出可能な方式で）読み取るバーコードリーダに本発明を適用してもよい。
【０１８５】
この場合も、上記実施形態と同様、基準位置情報としての機能を果たす一方のバーコード情報と、位置特定情報としての機能を果たす他方のバーコード情報とをセットにしてデータベースＤＢへ格納することにより、管理者は、それ以降、特定の物品に対応するバーコード情報が、データベースＤＢ内にて関連情報によりどの他方のバーコード情報に関連付けられているかを検索するだけで、探したい特定の物品の存在場所を決定することができる。またこの場合バーコードリーダにおいて一方のバーコード情報と他方のバーコード情報との関連情報を予め形成した後にデータベースＤＢへ送信することにより、前述と同様、管理者の物品管理時の操作負担や労力を低減でき、利便性を大幅に向上することができる。
【０１８６】
なお、以上で用いた「Scroll ID」信号「Scroll All ID」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１８７】
また、以上既に述べた以外にも、上記実施形態や各変形例による手法を適宜組み合わせて利用しても良い。
【０１８８】
その他、一々例示はしないが、本発明は、その趣旨を逸脱しない範囲内において、種々の変更が加えられて実施されるものである。
【図面の簡単な説明】
【０１８９】
【図１】本発明の一実施形態によるリーダを有する無線タグ情報通信システムを表すシステム構成図である。
【図２】図１に示したリーダの全体概略構造を表す正面図である。
【図３】無線タグに備えられた無線タグ回路素子の機能的構成の一例を表すブロック図である。
【図４】リーダの制御系の構成を表す機能ブロック図である。
【図５】図４に示した制御回路の詳細機能を表す機能ブロック図である。
【図６】リーダの表示部に表示される初期画面を表す図である。
【図７】リーダの表示部に表示される物品タグ読み取り指示画面を表す図である。
【図８】リーダの表示部に表示される探索実行中状態を表す図である。
【図９】問合せ信号の構成等を概念的に表す図である。
【図１０】物品に関しデータベース内において記憶されている対象物情報データの一例を概念的に表す図である。
【図１１】リーダの表示部に表示される場所タグ読み取り指示画面を表す図である。
【図１２】リーダの表示部に表示される探索実行中状態を表す図である。
【図１３】建造物等に関しデータベース内において記憶されている対象物情報データの一例を概念的に表す図である。
【図１４】リーダの表示部に表示される登録指示画面を表す図である。
【図１５】リーダの表示部に表示されるデータベース更新完了画面を表す図である。
【図１６】関連情報信号等の構成を概念的に表した図である。
【図１７】データベース内において記憶されている関連情報の例を概念的に表す図である。
【図１８】リーダに備えられた制御回路のＣＰＵが実行する主要な制御手順を表すフローチャートである。
【図１９】図１８に示したタグ読み取り処理の詳細手順を表すフローチャートである。
【図２０】リーダの表示部に表示されるデータベース検索指示画面を表す図である。
【図２１】リーダの表示部に表示された検索結果表示画面を表す図である。
【図２２】リーダの表示部に表示された物品探索準備完了状態表示を表す図である。
【図２３】リーダの表示部に表示された場所確認画面を表す図である。
【図２４】リーダの表示部に表示された探索実行中の状態を表す図である。
【図２５】リーダの表示部に表示された探索成功表示画面を表す図である。
【図２６】リーダに備えられた制御回路のＣＰＵが実行する主要な制御手順を表すフローチャートである。
【図２７】図２６のステップＳ２００に示したタグ探索処理の詳細手順を表すフローチャートである。
【図２８】リーダの表示部に表示された場所タグ読み取り指示画面を表す図である。
【図２９】リーダの表示部に表示された登録指示画面を表す図である。
【図３０】タグラベル作成装置の全体概略構成を表す概念的説明図である。
【符号の説明】
【０１９０】
５              表示部（表示手段、操作手段）
６              操作部（操作手段）
７              音声報知手段
１０            アンテナ（非接触情報取得手段、無線通信手段）
１５０          ＩＣ回路部
１５１          アンテナ（タグ側アンテナ）
２００          リーダ（情報読み取り装置）
２０１          高周波回路（非接触情報取得手段、無線通信手段）
２０７          サーバ（記憶装置）
３０１          高周波回路（送受信手段）
３０２          制御回路（記憶装置）
３０３          タグテープ（タグ媒体）
３０４          印字ヘッド（印字手段）
３０６          アンテナ（送受信手段）
３０９          搬送装置（搬送手段）
ＤＢ            データベース
Ｔo1，Ｔo2      無線タグ回路素子（情報保持部）
【図１】
2007084247.tif 000003
【図２】
2007084247.tif 000004
【図３】
2007084247.tif 000005
【図４】
2007084247.tif 000006
【図５】
2007084247.tif 000007
【図６】
2007084247.tif 000008
【図７】
2007084247.tif 000009
【図８】
2007084247.tif 000010
【図９】
2007084247.tif 000011
【図１０】
2007084247.tif 000012
【図１１】
2007084247.tif 000013
【図１２】
2007084247.tif 000014
【図１３】
2007084247.tif 000015
【図１４】
2007084247.tif 000016
【図１５】
2007084247.tif 000017
【図１６】
2007084247.tif 000018
【図１７】
2007084247.tif 000019
【図１８】
2007084247.tif 000020
【図１９】
2007084247.tif 000021
【図２０】
2007084247.tif 000022
【図２１】
2007084247.tif 000023
【図２２】
2007084247.tif 000024
【図２３】
2007084247.tif 000025
【図２４】
2007084247.tif 000026
【図２５】
2007084247.tif 000027
【図２６】
2007084247.tif 000028
【図２７】
2007084247.tif 000029
【図２８】
2007084247.tif 000030
【図２９】
2007084247.tif 000031
【図３０】
2007084247.tif 000032